(57)【要約】      （修正有）【課題】流体試料中の分析物（例えば、血中グルコース）をモニタリングし、デバイスのユーザに視覚及び／または聴覚フィードバックを提供する。【解決手段】デバイスは、ユーザと聴覚的に通信するように構成される分析物測定デバイスを備える。分析物測定デバイスは、プロンプトを出力することまたはコマンドを受信することによって、ユーザと聴覚的及び／または視覚的に通信する。分析物測定デバイスは、分析物測定デバイスの１つ以上の着脱可能な構成要素に基づいて、聴覚的及び／または視覚的出力で構成されてもよい。システムは、分析物測定デバイスと、１つ以上の着脱可能な構成要素（例えば、筐体の着脱可能な部分、カートリッジ、スキン等）とを備えてもよい。【選択図】図１Ａ
2020127755.tif 000002
【特許請求の範囲】
【請求項１】
筐体であって、前記筐体は、開放可能な筐体部分を備え、前記開放可能な筐体部分は、
聴覚的プロンプトセットと関連する聴覚識別子を備える、筐体と、
スピーカーと、
制御ユニットであって、前記制御ユニットは、前記聴覚識別子を検出し、前記検出され
た聴覚識別子と関連する前記聴覚的プロンプトセットを有効なプロンプトセットとして設
定し、前記有効なプロンプトセットから少なくとも１つの聴覚的プロンプトを出力するよ
うに前記スピーカーに命令するように構成される、制御ユニットと、を備える、分析物測
定デバイスを備える、システム。
【請求項２】
複数の開放可能な筐体部分をさらに備える、請求項１に記載のシステム。
【請求項３】
前記開放可能な筐体部分の各々が、前記複数の開放可能な筐体部分の他の開放可能な筐
体部分と関連する少なくとも１つの聴覚的プロンプトとは異なる、少なくとも１つの聴覚
的プロンプトを含む聴覚的プロンプトセットと関連する、請求項２に記載のシステム。
【請求項４】
前記制御ユニットは、プロセッサを備える、請求項１に記載のシステム。
【請求項５】
前記制御ユニットは、メモリユニットを備える、請求項１に記載のシステム。
【請求項６】
前記開放可能な筐体部分に関連する前記聴覚的プロンプトセットは、前記メモリユニッ
トに格納される、請求項５に記載のシステム。
【請求項７】
前記開放可能な筐体部分と関連する前記聴覚的プロンプトセットは、前記開放可能な筐
体部分に格納される、請求項１に記載のシステム。
【請求項８】
前記開放可能な筐体部分と関連する前記聴覚的プロンプトセットは、サーバに格納され
る、請求項１に記載のシステム。
【請求項９】
前記制御システムは、発声ユニットを備え、前記有効なプロンプトセットから少なくと
も１つの聴覚的プロンプトを出力するように前記スピーカーに命令することは、前記少な
くとも１つの聴覚的プロンプトと関連する信号を前記発声ユニットから前記スピーカーに
送信することを含む、請求項１に記載のシステム。
【請求項１０】
前記分析物測定デバイスは、表示部をさらに備える、請求項１に記載のシステム。
【請求項１１】
前記分析物測定デバイスは、マイクをさらに備える、請求項１に記載のシステム。
【請求項１２】
前記分析物測定デバイスは、一体型メーターである、請求項１に記載のシステム。
【請求項１３】
カートリッジをさらに備える、請求項１に記載のシステム。
【請求項１４】
筐体、スピーカー、及び制御ユニットを備える分析物測定デバイスと、
スキンであって、前記スキンは、前記筐体に開放可能に装着されるように構成され、前
記スキンは、聴覚的プロンプトセットと関連する聴覚識別子を備える、スキンと、を備え
、
前記制御ユニットは、前記聴覚識別子を検出し、前記検出された聴覚識別子と関連する
前記聴覚的プロンプトセットを有効なプロンプトセットとして設定し、前記有効なプロン
プトセットから少なくとも１つの聴覚的プロンプトを出力するように前記スピーカーに命
令するように構成される、システム。
【請求項１５】
複数のスキンをさらに備える、請求項１４に記載のシステム。
【請求項１６】
前記スキンの各々は、前記複数のスキンの他のスキンと関連する少なくとも１つの聴覚
的プロンプトとは異なる少なくとも１つの聴覚的プロンプトを含む聴覚的プロンプトセッ
トと関連する、請求項１５に記載のシステム。
【請求項１７】
前記制御ユニットは、プロセッサを備える、請求項１４に記載のシステム。
【請求項１８】
前記制御ユニットは、メモリユニットを備える、請求項１４に記載のシステム。
【請求項１９】
前記スキンと関連する前記聴覚的プロンプトセットは、前記メモリユニットに格納され
る、請求項１８に記載のシステム。
【請求項２０】
前記スキンと関連する前記聴覚的プロンプトセットは、前記スキンに格納される、請求
項１４に記載のシステム。
【請求項２１】
前記スキンと関連する前記聴覚的プロンプトセットは、サーバに格納される、請求項１
４に記載のシステム。
【請求項２２】
前記制御システムは、発声ユニットを備え、前記有効なプロンプトセットから少なくと
も１つの聴覚的プロンプトを出力するように前記スピーカーに命令することは、前記少な
くとも１つの聴覚的プロンプトと関連する信号を前記発声ユニットから前記スピーカーに
送信することを含む、請求項１４に記載のシステム。
【請求項２３】
前記分析物測定デバイスは、表示部をさらに備える、請求項１４に記載のシステム。
【請求項２４】
前記分析物測定デバイスは、マイクをさらに備える、請求項１４に記載のシステム。
【請求項２５】
前記分析物測定デバイスは、一体型メーターである、請求項１４に記載のシステム。
【請求項２６】
カートリッジをさらに備える、請求項１４に記載のシステム。
【発明の詳細な説明】
【技術分野】
【０００１】
関連出願の相互参照
本出願は、参照によりその全体が本明細書に組み込まれる、２０１３年６月２１日に出
願された米国仮特許出願第６１／８３８，１７１号に対する優先権を主張するものである
。
【０００２】
発明の分野
本発明は、流体試料中の分析物（例えば、血中グルコース）をモニタリングし、デバイ
スのユーザに視覚及び／または聴覚フィードバックを提供するためのデバイス及び方法に
関する。
【背景技術】
【０００３】
糖尿病は、何百万もの人々が罹患している世界中で広く見られる疾病である。米国だけ
でも、推定２３６０万人、または人口の７．８％がこの疾病を有する。糖尿病は、年間で
直接的及び間接的な医療費の推定１７４０億ドルを占める。種類（１型、２型等）に依存
して、糖尿病は、疲労、かすみ目、及び原因不明の体重減少等の１つ以上の症状を伴う場
合があり、さらに低血糖、高血糖、ケトアシドーシス、神経症、及び腎症等のもう１つの
合併症を伴う場合がある。
【０００４】
これらの望ましくない合併症の遅延または予防を補助するために、糖尿病を有する人々
は、血中グルコース等の１つ以上の血液分析物のレベルをモニタリングすることが必要で
あるかもしれない。グルコースの検査は、患者が血中グルコースが安全なレベルであるこ
とを確認することを可能にし、同様に、患者の糖尿病を管理する上で食生活、薬物、及び
運動の効果をモニタリングするのに役立ち得、また、１つ以上の糖尿病に関連する状態（
例えば、盲目、腎障害、及び神経障害）を発症するリスクを削減するのにも役立ち得る。
しかしながら、現在利用可能なグルコースメーターの多くは、検査を完了するために数多
くの構成要素及び複雑なステップを必要とし、納得の行かない、または別様に不快なユー
ザエクスペリエンスをもたらし得る（ユーザコンプライアンスの可能性を低下させ得る）
。そのため、試料採取を個別化し、ユーザにより容易にし得る、安全で効果的な分析物濃
度メーターを製造することが望ましいかもしれない。
【発明の概要】
【０００５】
ユーザにフィードバックを提供するための分析物測定デバイス及びシステムが本明細書
に記載される。いくつかの変形例において、分析物測定デバイスは、ユーザに複数の聴覚
的プロンプトを生成するように構成されてもよく、これらのプロンプトは、ユーザに情報
、命令、及び／または推奨を伝えることができる。いくつかの変形例において、分析物測
定デバイスは、分析物測定デバイスによって出力された一連の聴覚的プロンプトを変更す
ることが可能であってもよい。これらの変形例のうちのいくつかにおいて、システムは、
筐体、スピーカー、及び制御ユニットを備える分析物測定デバイスを備えてもよい。これ
らの変形例において、筐体は、開放可能な筐体部分を備えてもよく、開放可能な筐体部分
は、聴覚的プロンプトセットと関連する聴覚識別子を備えてもよい。制御ユニットは、聴
覚識別子を検出し、検出された聴覚識別子と関連する聴覚的プロンプトセットを有効なプ
ロンプトセットとして設定し、有効なプロンプトセットから少なくとも１つの聴覚的プロ
ンプトを出力するようスピーカーに命令するように構成されてもよい。いくつかの変形例
において、制御ユニットは、プロセッサ及び／またはメモリユニットを備えてもよい。
【０００６】
いくつかの変形例において、システムは、複数の開放可能な筐体部分をさらに備えても
よい。これらの変形例のうちのいくつかにおいて、開放可能な筐体部分の各々は、複数の
開放可能な筐体部分の他の開放可能な筐体部分と関連する少なくとも１つの聴覚的プロン
プトとは異なる少なくとも１つの聴覚的プロンプトを含む聴覚的プロンプトセットと関連
してもよい。いくつかの実施形態において、開放可能な筐体部分と関連する聴覚的プロン
プトセットは、メモリユニットに格納されてもよい。他の実施形態において、開放可能な
筐体部分と関連する聴覚的プロンプトセットは、開放可能な筐体部分またはサーバに格納
されてもよい。制御ユニットはまた、発声ユニットを備えてもよく、有効なプロンプトセ
ットから少なくとも１つの聴覚的プロンプトを出力するようスピーカーに命令することは
、少なくとも１つの聴覚的プロンプトと関連する信号を発声ユニットからスピーカーに送
信することを含んでもよい。いくつかの変形例において、本明細書に記載の分析物測定デ
バイスは、表示部及び／またはマイクをさらに備えてもよい。いくつかの実施形態におい
て、分析物測定デバイスは、一体型メーターであってもよい。いくつかの変形例において
、システムは、カートリッジをさらに備えてもよい。
【０００７】
いくつかの実施形態において、システムは、筐体、スピーカー、制御ユニット、及びス
キンを備える分析物測定デバイスを備えてもよい。これらの変形例において、スキンは、
筐体に開放可能に装着されるように構成されてもよく、聴覚的プロンプトセットと関連し
得る聴覚識別子を備えてもよい。制御ユニットは、聴覚識別子を検出し、検出された聴覚
識別子と関連する聴覚的プロンプトセットを有効なプロンプトセットとして設定し、有効
なプロンプトセットから少なくとも１つの聴覚的プロンプトを出力するようスピーカーに
命令するように構成されてもよい。いくつかの変形例において、制御ユニットは、プロセ
ッサ及び／またはメモリユニットを備えてもよい。
【０００８】
いくつかの変型例において、システムは、複数のスキンをさらに備えてもよい。これら
の変形例のうちのいくつかにおいて、各スキンは、複数のスキンの他のスキンと関連する
少なくとも１つの聴覚的プロンプトとは異なる少なくとも１つの聴覚的プロンプトを含む
聴覚的プロンプトセットと関連してもよい。いくつかの実施形態において、スキンと関連
する聴覚的プロンプトセットは、メモリユニットに格納されてもよい。他の実施形態にお
いて、スキンと関連する聴覚的プロンプトセットは、スキンまたはサーバに格納されても
よい。制御ユニットはまた、発声ユニットを備えてもよく、有効なプロンプトセットから
少なくとも１つの聴覚的プロンプトを出力するようスピーカーに命令することは、少なく
とも１つの聴覚的プロンプトと関連する信号を発声ユニットからスピーカーに送信するこ
とを含んでもよい。いくつかの変形例において、本明細書に記載の分析物測定デバイスは
、表示部及び／またはマイクをさらに備えてもよい。いくつかの実施形態において、分析
物測定デバイスは、一体型メーターであってもよい。いくつかの変形例において、システ
ムは、カートリッジをさらに備えてもよい。
【図面の簡単な説明】
【０００９】
【図１Ａ】本明細書に記載されるような分析物測定デバイスの変形例の正面図を示す。
【図１Ｂ】本明細書に記載されるような分析物測定デバイスの変形例の底面斜視図を示す。
【図１Ｃ】本明細書に記載の分析物測定デバイスとともに使用されてもよいカートリッジの斜視図を示す。
【図２Ａ】カートリッジの斜視図を示す。
【図２Ｂ】カートリッジ内に包含される試料採取構成の分解図を示す。
【図３Ａ】本明細書に記載の分析物測定デバイスの変形例のブロック図を示す。
【図３Ｂ】本明細書に記載の分析物測定デバイスの変形例のブロック図を示す。
【図４】サーバシステムの略図を示す。
【図５Ａ】本明細書に記載の分析物測定デバイスの変形例の正面図を示す。
【図５Ｂ】本明細書に記載の分析物測定デバイスの変形例の正面図を示す。
【図６Ａ】本明細書に記載の分析物測定デバイスの変形例の正面図を示す。
【図６Ｂ】本明細書に記載の分析物測定デバイスの変形例の正面図を示す。
【図７Ａ】さらなる筐体部分を含む本明細書に記載の分析物測定デバイスの変形例の斜視図を示す。
【図７Ｂ】着脱可能な筐体部分を含む分析物測定デバイスの変形例の背面図を示す。
【図７Ｃ】背面カバーを外した状態の分析物測定デバイスの背面図を示す。
【図８Ａ】スキンを有する本明細書に記載の分析物測定デバイスの変形例の正面図を示す。
【図８Ｂ】スキンを有する本明細書に記載の分析物測定デバイスの変形例の斜視図を示す。
【図８Ｃ】スキンを有しない本明細書に記載の分析物測定デバイスの変形例の上面斜視図を示す。
【図８Ｄ】スキンを有する本明細書に記載の分析物測定デバイスの変形例の上面斜視図を示す。
【発明を実施するための形態】
【００１０】
分析物測定システム及びデバイス、ならびにそれを使用する方法が本明細書に記載され
る。一般的に、本明細書に記載のデバイスは、ユーザと聴覚的に通信するように構成され
る分析物測定デバイスを備える。いくつかの実施形態において、分析物測定デバイスは、
プロンプトを出力することまたはコマンドを受信することによって、ユーザと聴覚的及び
／または視覚的に通信する。いくつかの変形例において、分析物測定デバイスは、分析物
測定デバイスの１つ以上の着脱可能な構成要素に基づいて、聴覚的及び／または視覚的出
力で構成されてもよい。これらの変形例において、システムは、分析物測定デバイスと、
１つ以上の着脱可能な構成要素（例えば、筐体の着脱可能な部分、カートリッジ、スキン
等）とを備えてもよい。
【００１１】
分析物測定デバイス
一般的に、本明細書に記載の分析物測定デバイスは、流体試料中の１つ以上の分析物の
濃度が測定される分析物測定動作の１つ以上のステップを行うように構成される。例えば
、分析物測定デバイスは、以下の動作のうちの１つ以上を行うように構成されてもよい：
試料採取部位から流体試料を採取する、流体試料を分析場所に輸送する、及び流体試料を
分析する。分析物測定デバイスが試料採取部位から流体試料を採取するように構成される
場合、デバイスは、任意の好適な試料採取部位から流体試料を採取するように構成されて
もよい。好適な試料採取部位の例として、１つ以上の身体部位（例えば、手指、足指、他
の皮膚表面等）または１つ以上の人工容器（例えば、対照溶液または身体流体試料を保持
するバイアル）が挙げられるが、これらに限定されない。流体試料は、例えば、１つ以上
の溶液（例えば、対照溶液）、混合物、体液（例えば、血液、唾液等）、それらの組み合
わせ等の任意の好適な流体を含んでもよい。流体試料の分析は、１つ以上のホルモン、タ
ンパク質、酵素、毒素、薬物、他の分子等の試料中の１つ以上の分析物の濃度を決定する
ことを含んでもよい。いくつかの変形例において、本明細書に記載の分析物測定デバイス
は、１つ以上の血液試料または他のグルコース含有溶液のグルコース濃度を測定するよう
に構成されてもよい。
【００１２】
いくつかの変形例において、本明細書に記載されるような分析物測定デバイスは、流体
試料を採取、輸送、及び分析するために必要な全ての構成要素を包含してもよいため、該
デバイスは完全に一体化していてもよい。例えば、本明細書に記載のシステムは、２０１
２年８月３日に出願された米国特許出願第１３／５６６，８８６号、標題「ＤＥＶＩＣＥ
Ｓ  ＡＮＤ  ＭＥＴＨＯＤＳ  ＦＯＲ  ＢＯＤＹ  ＦＬＵＩＤ  ＳＡＭＰＬＩＮＧ  ＡＮ
Ｄ  ＡＮＡＬＹＳＩＳ」、２００２年４月２３日に出願された米国特許第７，００４，９
２８号、標題「ＡＵＴＯＮＯＭＯＵＳ，  ＡＭＢＵＬＡＴＯＲＹ  ＡＮＡＬＹＴＥ  ＭＯ
ＮＩＴＯＲ  ＯＲ  ＤＲＵＧ  ＤＥＬＩＶＥＲＹ  ＤＥＶＩＣＥ」、及び米国特許第８，
０１２，１０３号、標題「ＣＡＴＡＬＹＳＴＳ  ＦＯＲ  ＢＯＤＹ  ＦＬＵＩＤ  ＳＡＭ
ＰＬＥ  ＥＸＴＲＡＣＴＩＯＮ」（これらの各々の内容は、参照によりその全体が本明細
書に組み込まれる）に記載されるデバイスのうちの１つ以上を備えてもよい。また、本明
細書に記載の分析物測定デバイスは、流体試料の分析に関連する採取、輸送、及び分析動
作のサブセットのみを行うように構成されてもよいことを理解されたい。
【００１３】
例えば、分析物測定デバイスは、完全一体型メーターを含んでもよい。メーターは、後
により詳細に記載されるメーター筐体及び１つ以上のカートリッジを備えてもよい。いく
つかの変形例において、メーターは、複数の流体試料を採取及び分析するように構成され
てもよい。例えば、いくつかの変形例において、カートリッジは、１つ以上のセルを備え
てもよく、それらのいくつかまたは全てが、後により詳細に記載されるように、流体試料
を採取するための１つ以上の試料採取構成を包含してもよい。メーターは、試料分析から
の１つ以上の結果を聴覚的に、視覚的に、または別様に提供するようにさらに構成されて
もよい。メーターのいくつかの部分は再利用可能であってもよく、メーターの他の部分は
使い捨てであってもよい。例えば、いくつかの変形例において、メーター筐体は再利用可
能であり、カートリッジは使い捨てである。これらの変形例において、新たな一連の検査
を実施するために、新しいカートリッジが、メーター筐体に挿入されてもよいかまたは別
様に係合されてもよい。他の変形例において、メーター筐体及びカートリッジの両方が使
い捨てであってもよい。
【００１４】
図１Ａ〜図１Ｃは、例示的な一体型メーター（１００）の説明に役立つ変形例を示す。
具体的には、図１Ａ及び図１Ｂは、メーター筐体（１１８）の正面図及び底面斜視図をそ
れぞれ示し、図１Ｃは、カートリッジ（１０２）の斜視図を示す。図１Ｃでは、密封され
たまたは密封可能な袋（１１６）内に格納された状態で示されているが、カートリッジ（
１０２）は、いずれの好適な容器内に格納されてもよく、使用前に除去されてもよい。図
１Ａ及び図１Ｂに示すように、メーター筐体（１１８）は、カートリッジ係合突起部（１
０５）、カートリッジ受容チャンバ（１０６）またはキャビティ、カートリッジ吐出ボタ
ン（１１３）、表示部（１０８）、ボタン（１１０）、ポート（１１２）、及びタワー（
１１４）とともにドア（１０４）を備えてもよい。メーターは、これらの特徴の各々を含
む必要はなく、メーターは、これらの特徴の任意の組み合わせを備えてもよいことを認識
されたい。メーター（１００）は、メーターを操作するため及び／または検査手順を容易
にするために、１つ以上の撮像システム（図示せず）と、内部機構または構成要素（例え
ば、メモリ、回路、アクチュエータ、電池、真空ポンプ、センサ、それらの組み合わせ等
）とをさらに備えてもよい。
【００１５】
図１Ｂに示すように、カバーまたはドア（１０４）は、カートリッジ受容チャンバ（１
０６）を露呈するように開放されてもよい。カートリッジ（１０２）は、カートリッジ受
容チャンバ（１０６）の内部に配置されてもよく、ドア（１０４）は、カートリッジ（１
０２）をメーター筐体（１１８）の内部に一時的に封入するように閉鎖されてもよい。メ
ーター筐体の内部に配置されると、カートリッジ（１０２）の１つ以上の部分が、メータ
ー筐体（１１８）の１つ以上の構成要素と係合し得る。いくつかの変形例において、メー
ター筐体（１１８）は、カートリッジ（１０２）がカートリッジ受容チャンバ（１０６）
内に配置された時にその自己アライメントを容易にし得る１つ以上の特徴を備えてもよい
。例えば、いくつかの変型例において、カートリッジ（１０２）は、窪み（図示せず）を
備えてもよい。カートリッジ（１０２）がカートリッジ受容チャンバ（１０６）の内部に
配置されると、タワー（１１４）の一部分が、カートリッジ（１０２）の窪みの中に嵌合
し得るかまたは別様に係合し得る。この係合は、メーター筐体（１１８）に対してカート
リッジ（１０２）を適所に保持するのに役立ち得る。反対に、いくつかの変形例において
、カートリッジ（１０２）は、カートリッジ受容チャンバ（１０６）内の１つ以上の窪み
（図示せず）またはメーター筐体（１１８）の他の部分に係合し得る１つ以上の突起（図
示せず）を備えてもよい。付加的にまたは代替的に、１つ以上の磁石が、メーター筐体に
対してカートリッジを適所に保持してもよい。カートリッジは、メーター筐体に係合する
ために（例えば、カートリッジ受容チャンバを介して）メーター筐体の内部に配置される
必要はない。例えば、いくつかの変形例において、カートリッジは、メーター筐体の１つ
以上の外表面に装着されてもよいか、または別様に係合してもよい。
【００１６】
任意の好適なカートリッジが、メーターとともに使用されてもよい。例えば、いくつか
の変形例において、メーターは、米国特許出願第１１／５２９，６１４号、標題「ＭＵＬ
ＴＩ−ＳＩＴＥ  ＢＯＤＹ  ＦＬＵＩＤ  ＳＡＭＰＬＩＮＧ  ＡＮＤ  ＡＮＡＬＹＳＩＳ
ＣＡＲＴＲＩＤＧＥ」及び米国特許第８，２３１，８３２号、標題「ＡＮＡＬＹＴＥ  
ＣＯＮＣＥＮＴＲＡＴＩＯＮ  ＤＥＴＥＣＴＩＯＮ  ＤＥＶＩＣＥＳ  ＡＮＤ  ＭＥＴＨ
ＯＤＳ」（これらの各々の内容は、参照によりその全体が本明細書に組み込まれる）に記
載されるカートリッジのうちの１つ以上を備えてもよい。上記メーターとともに使用され
てもよいカートリッジの好適な変形例を図２Ａに示す。ここに示されるように、カートリ
ッジ（２００）は、１つ以上の試料採取構成（２０２）を収容してもよいか、または別様
に保有してもよい。これらの試料採取構成（２０２）は、流体試料を採取するため、輸送
するため、及び／または流体試料と反応するための１つ以上の構成要素を備えてもよい。
例えば、いくつかの変形例において、試料採取構成は、検査手順の間に試料採取部位に繋
ぎ合わせるため、貫通するため、または別様に穿刺するための貫通部材を備えてもよい。
カートリッジ（２００）が複数の試料採取構成（２０２）を備える変形例において、各試
料採取構成（２０２）は、異なる流体試料に対する別個の検査を実施するために利用され
てもよい。試料採取構成は、貫通部材をカートリッジに対して移動させるためのハブまた
は他の構造をさらに備えてもよい。さらに、試料採取構成（２０２）は、定量化部材（図
示せず）を備えてもよく、これは流体試料と反応して、流体試料の１つ以上の特性の指標
となり得る測定可能な反応（例えば、電気化学的反応または測光反応）を生じさせること
ができる。カートリッジ（２００）が使い捨てであるように構成される変形例において、
新しいカートリッジは、未使用（例えば、未燃焼）の試料採取構成を提供するために交換
されてもよい。試料採取構成と流体試料との間で起こるいずれの反応も、カートリッジま
たはメーター筐体の１つ以上の部分（例えば、撮像システム）によって定量化または測定
され得る。いくつかの変形例において、カートリッジの１つ以上の部分は再利用可能であ
ってもよい。例えば、メーターがさらなる検査手順を実施することを可能にするように、
カートリッジを包含する１つ以上の未使用の試料採取構成がカートリッジに充填されても
よい。上記ではメーター（１００）がカートリッジを有すると論じられているが、メータ
ーはカートリッジを有する必要はない。
【００１７】
図２Ｂは、試料採取構成（２０２）の分解図を示す。ハブ（２０４）、皮膚貫通部材（
２０６）、定量化部材（２０８）（例えば、パッド）、キャップ（２１０）、及びばね（
２１２）が示される。ハブ（２０４）は、ラッチ（２１４）、ピボットバー（２１６）、
及びマイクロパターン化表面（２１８）を備えてもよい。この変形例において、ハブ（２
０４）は、皮膚貫通部材（２０６）の内孔（２２０）がマイクロパターン化表面（２１８
）と流体連通するように皮膚貫通部材（２０６）を保持し得る。定量化部材（２０８）は
、マイクロパターン化表面（２１８）上に配置されてもよく、キャップ（２１０）は、マ
イクロパターン化表面（２１８）に対して定量化部材（２０８）を適所に保持するために
、定量化部材（２０８）を少なくとも部分的に覆うように配置されてもよい。キャップ（
２１０）は、開口部（２２２）を備えてもよく、試料中の分析物の濃度を決定するために
、そこを通して、撮像システム（例えば、光源及び検出器）によって定量化部材（２０８
）を目視することができる。ばね（２１２）は、ねじりばねとして描かれているが、皮膚
貫通部材を移動させることが可能ないずれの機構（例えば、線形ばね、板ばね、円錐ばね
、機械的に駆動されるアーム、摺動アクチュエータ等）が用いられてもよい。
【００１８】
メーター筐体（１１８）は、スピーカー及び／またはマイク（図示せず）ならびに制御
ユニット（図示せず）を収容するように構成されてもよいが、スピーカー、マイク、及び
／または制御ユニットは、いくつかの場合において、筐体（１１８）内に部分的に収容さ
れてもよいか、筐体（１１８）の外部に装着されてもよいか、または無線でもしくは有線
通信によってのいずれかでメーターと通信する別個のデバイス（すなわち、ヘッドホン、
携帯電話、コンピュータ、タブレット等）の一部であってもよいことを認識されたい。図
１Ａに示すように、メーター筐体（１１８）は、その全体が参照により先に本明細書に組
み込まれた米国特許出願第１３／５６６，８８６号に記載されるもの等の、表示部（１０
８）（例えば、ユーザに視覚的に情報を提供するため）、ボタン（１１０）（例えば、デ
バイスの電源をオン／オフにするため、デバイスに情報を入力するため等）、及びポート
（１１２）（例えば、そこを通して流体試料が採取され得る）をさらに備えてもよい。付
加的にまたは代替的に、メーター（１００）は、いくつかの場合において、メーター（１
００）を操作するため及び／または流体試料の検査を容易にするために、１つ以上の撮像
システム（図示せず）と、内部機構または構成要素（例えば、メモリ、回路、アクチュエ
ータ、電池、真空ポンプ、センサ、それらの組み合わせ等）とをさらに備えてもよい。本
明細書に記載の分析物測定デバイスは、これらの特徴の各々を含む必要はなく、これらの
デバイスの変形例は、これらの特徴の任意の組み合わせを備えてもよい。
【００１９】
前述のように、本明細書に記載の分析物測定デバイスは、一般的に、いくつかの形態の
フィードバック（聴覚的、視覚的、触覚的等）をユーザに提供するように構成される。一
般的に、本明細書に記載の分析物測定デバイスは、メモリユニット（１つ以上のコンピュ
ータ可読記憶媒体を含むことができる）、１つ以上のプロセッサ（ＣＰＵ）、及び発声ユ
ニットを含む制御ユニットを備えてもよい。１つ以上のプロセッサは、デバイスの種々の
機能を行うため、及びデータを処理するために、メモリユニット内に格納された種々のソ
フトウェアプログラム及び／または命令のセットを実行することができる。いくつかの実
施例において、メモリユニット、プロセッサ、及び発声ユニットは、単一チップ上に実装
されてもよい。他の実施例において、それらは別個のチップ上に実装することができる。
デバイスの所望の機能性に応じて、デバイスは、任意の種類の回路（例えば、ＲＦ回路、
オーディオ回路、表示回路、照明回路、集積回路等）、スピーカー、マイク、触覚出力発
生器（例えば、振動素子）、表示部（接触感知表示システムを含む）、１つ以上の外部ポ
ート等を含むがこれらに限定されない、任意の数の構成要素をさらに備えてもよい。デバ
イスは、上に列挙した構成要素の全て、または構成要素の任意の部分的組み合わせを含ん
でもよい。さらに、記載される種々の構成要素は、２つ以上のデバイス（例えば、分析物
測定デバイス及び携帯電話）にわたって実装されてもよく、そのうちの１つ以上が、家庭
用コンピュータ、またはローカルエリアネットワークによって、もしくはインターネット
によってアクセスされるリモートサーバを含んでもよい。２つ以上のデバイスが使用され
る実施例において、デバイスは、デバイスの動作を容易にするように互いに通信すること
ができる。通信は、暗号化されていても、または、されていなくてもよい。
【００２０】
分析物測定デバイスはまた、データを受信、コンパイル、格納し、かつデータにアクセ
スするように構成されてもよい。いくつかの変形例において、分析物測定デバイスは、異
なる源からデータにアクセスするように、かつ／またはデータを受信するように構成され
てもよい。分析物測定デバイスは、ユーザによって直接入力されたデータを受信するよう
に構成されてもよく、かつ／または、別個のデバイス（例えば、携帯電話、タブレット、
コンピュータ等）から、及び／もしくは記憶媒体（フラッシュドライブ、メモリカード等
）からデータを受信するように構成されてもよい。分析物測定デバイスは、後により詳細
に論じられるように、ネットワーク通信を介して、またはデバイスもしくは記憶媒体との
物理的通信を介して（例えば、ＵＳＢもしくは任意の他の種類のポートを介して）データ
を受信してもよい。分析物測定デバイスは、プロセッサを使用してデータをコンパイルし
てもよく、アクセスデバイス内のメモリユニットにデータを格納してもよいか、または格
納するために外部サーバにデータを送信してもよい。さらに、分析物測定デバイスは、プ
ロセッサを使用して、格納されたデータに後にアクセスしてもよい。
【００２１】
分析物測定デバイスは、種々の種類のデータを受信するように構成されてもよい。例え
ば、分析物測定デバイスは、ユーザの個人データ（例えば、性別、体重、生年月日、年齢
、身長、診断日、デバイス使用の記念日等）、ユーザの検査履歴（例えば、完了した検査
の数、各検査を完了した時間、各検査を完了した日付、食前または食後の検査採点結果、
ユーザが連続的にいくつの検査を完了したか等）、ユーザの結果履歴（例えば、検査が行
われた時間のグルコースレベル）、ユーザの食事情報（例えば、ユーザが毎日何を食べな
ければならなかったか、アルコール飲料の数、摂取した炭水化物の量等）、ユーザの運動
情報（例えば、ユーザが運動したかどうか、ユーザがいつ運動したか、運動の長さ、ユー
ザがどんな種類の運動を終了したのか（例えば、自転車、水泳、ランニング等）、運動の
発揮レベル（例えば、低い、中程度、高い）、運動中のユーザの心拍数等）、同様の状況
にある他の患者の総体的健康情報（例えば、１日の同様の時間における同様のユーザの典
型的な検査結果、運動後の同様のユーザの検査結果の平均等）、またはユーザの治療に関
連し得る任意の他の情報を受信するように構成されてもよい。いくつかの変形例において
、分析物測定デバイスは、ユーザプロファイルを作成、受信、及び／または格納するよう
に構成されてもよい。ユーザプロファイルは、先に記載したユーザ特定情報のうちのいず
れかを包含してもよい。さらに、分析物測定デバイスは、米国特許出願第１２／４５７，
３３２号、標題「ＭＥＤＩＣＡＬ  ＤＩＡＧＮＯＳＴＩＣ  ＤＥＶＩＣＥＳ  ＡＮＤ  Ｍ
ＥＴＨＯＤＳ」（その内容は、参照によりその全体が本明細書に組み込まれる）により詳
細に記載されるように、いつ検査を行うか（例えば、時刻、日付、場所）を決定する上で
有用な一般情報を受信するように構成されてもよい。前述の情報は、分析物測定デバイス
によって受信されてもよいが、いくつかの実施形態において、分析物測定デバイスは、デ
バイス自体に格納されたソフトウェアを使用して受信されるかまたは外部から受信される
情報から上記データのうちのいずれかを計算するように構成されてもよい。
【００２２】
いくつかの実施形態において、分析物測定デバイスは、その全体が参照により先に本明
細書に組み込まれた米国特許出願第１２／４５７，３３２号、標題「ＭＥＤＩＣＡＬ  Ｄ
ＩＡＧＮＯＳＴＩＣ  ＤＥＶＩＣＥＳ  ＡＮＤ  ＭＥＴＨＯＤＳ」により詳細に記載され
るように、ユーザの挙動におけるパターンを特定し、特定されたパターンを使用して将来
的なユーザの挙動を予測し、特定されたパターンに関連するプロンプトをユーザに提供す
るように構成されてもよい。いくつかの場合において、分析物測定デバイスは、１つ以上
のグルコース事象について警告するのに役立つように、または該事象の発生を予防するの
に役立つようにパターンを使用してもよい。グルコース事象は、ユーザのグルコースが予
想レベルよりも高いかもしくは低い時、または指定範囲外である時にいつでも起こり得る
。いくつかの実施形態において、グルコース事象は、低血糖事象または高血糖事象であり
得る。いくつかの変形例において、分析物測定デバイスは、後により詳細に記載されるよ
うに、ユーザの個人データ、検査履歴、食事情報、運動情報、ユーザの履歴データ（例え
ば、以前の検査データ、ユーザの履歴傾向等）に関連する任意の他の情報、外部源（例え
ば、医学的研究）からコンパイルされた、分析物測定デバイスにプリロードされたデータ
、または別個のデバイスから受信されたデータ（例えば、履歴データ、または外部源から
コンパイルされたデータ）を比較するように構成されてもよい。いくつかの場合において
、警告または通知は、検査を行う、医療処置を求める、かつ／または何かを食べるか、も
しくは飲むという命令を含んでもよい。
【００２３】
分析物測定デバイスは、受信したデータに基づいてグルコース事象の可能性を計算する
ように構成されてもよく、その計算に基づいてユーザにアラートまたはプロンプトを提供
することができる。いくつかの変形例において、ユーザにグルコース事象について警告す
る方法は、ユーザ情報を受信すること、ユーザ情報をグルコース事象に対する刺激（例え
ば、運動、アルコール摂取、糖分摂取、量の多い食事等）として特定すること、グルコー
ス事象の発生の可能性を計算すること、グルコース事象がいつ起こるかを決定すること、
グルコース事象がいつ起こるかの決定に基づいてグルコース事象の前にユーザに警告する
または喚起を促すことを含んでもよい。存在する場合、リスクの報告は、リスクの計算が
特定の閾値または特定の基準を満たすかまたは超えるかどうかに基づいてもよい。
【００２４】
例えば、あるユーザは、激しい運動（例えば、高い強度で６０分間、中程度の強度で９
０分間、低い強度で１２０分間）の後、または特定の数もしくは量のアルコール飲料の摂
取（例えば、グラス５杯のワイン、４．５オンスのウォッカ等）の後で、より高いグルコ
ース事象のリスクを経験する場合がある。ユーザは、自分の運動計画またはアルコール摂
取に関する情報を、分析物測定デバイスまたは分析物測定デバイスと通信する別個のデバ
イスに入力することができる。分析物測定デバイスは、分析物測定デバイスにプリロード
されたデータ、別個のデバイスから受信されたデータ、及び／またはユーザの履歴データ
に基づいて、情報をグルコース事象に対する刺激として特定することができ、その情報を
刺激としてマークすることができる。分析物測定デバイスは、ユーザの情報をプリロード
データ、受信データ、及び／または履歴データと比較して、グルコース事象の発生の可能
性を計算することができる。グルコース事象が発生し得る高い確率が存在する場合、分析
物測定デバイスは、後により詳細に記載されるように、プリロードデータ、受信データ、
及び／または履歴データを使用して、いつ事象が発生する可能性があるか（例えば、運動
後１２時間、アルコール摂取後４時間等）を決定することができ、適切な時間（例えば、
運動後１１時間、アルコール摂取後３時間４５分等）にユーザに警告するかまたは注意を
促すことができる。
【００２５】
いくつかの実施形態において、グルコース事象の発生の可能性を計算することは、ユー
ザの情報をユーザの履歴情報（例えば、以前の検査結果、履歴平均、履歴傾向、予測値等
）と比較し、その比較に基づいてグルコース事象発生の確率を割り当て、確率が閾値より
も大きいかどうかを判断し、大きい場合は、ユーザに警告するかまたは注意を促すことが
必要であるかを決定することを含んでもよい。他の実施形態において、グルコース事象の
発生の可能性を計算することは、ユーザの情報を他の患者、例えば、同様の状況にある患
者（例えば、同様の年齢、体重、パターン等の患者）の健康情報と比較することを含んで
もよい。さらに他の実施形態において、グルコース事象の発生の可能性を計算することは
、ユーザの情報をユーザの履歴情報及び同様の状況にある患者の健康情報の両方と比較す
ること、各比較に確率を割り当てること、ならびに確率を平均化することを含んでもよい
。単純平均が記載されるが、より複雑な重み付けスキームが用いられてもよい。例えば、
いくつかの実施形態において、ユーザの情報とユーザの履歴情報との比較は、ユーザの情
報と同様の状況にある患者の健康情報との比較よりも多く重み付けされてもよい。さらに
他の実施形態において、グルコース事象の発生の可能性を計算することは、多くの異なる
要因（例えば、運動の期間、運動の強度、最後の食事、及び年齢）を複数のデータセット
（例えば、履歴データ、同様の状況にある患者のデータ）において同じ要因と比較するこ
と、ならびに各要因に異なる重みを割り当てて最終的な確率を決定することを含んでもよ
い。
【００２６】
いくつかの実施例において、グルコース事象がいつ発生するかを決定することは、ユー
ザの情報をユーザの履歴情報または同様の状況にある患者の健康情報と比較することも含
んでもよい。この比較は、刺激とグルコース事象との間でどれくらい時間が経過し得るか
（すなわち、応答時間）に関する情報を提供することができる。応答時間はまた、平均化
されてもよいか、または重みを割り当てられてもよい。
【００２７】
図３Ａ及び図３Ｂは、別の分析物測定デバイス（３００）の変形例のブロック図を示す
。図３Ａに示すように、分析物測定デバイス（３００）は、音声出力を生成するように構
成されるスピーカー（３０２）と、スピーカー（３０２）の音声出力を制御するように構
成される制御ユニット（３０４）とを備えてもよい。制御ユニット（３０４）は、スピー
カー（３０２）にオーディオ信号を出力することが可能な電子機器を含んでもよい。例え
ば、図３Ａ及び図３Ｂに示す変形例において、制御ユニット（３０４）は、プロセッサ（
３０６）、発声ユニット（３０８）、及びメモリユニット（３１０）を備えてもよい。メ
モリユニット（３１０）は、高速ランダムアクセスメモリ及び非揮発性メモリ、例えば、
１つ以上の磁気ディスク記憶デバイス、フラッシュメモリデバイス、または他の非揮発性
ソリッドステートメモリデバイスを含むことができる。図３Ａに示す変形例において、メ
モリユニット（３１０）は、スピーカー（３０２）に関する複数の音声出力に関連するデ
ータを格納するように構成されてもよく、プロセッサ（３０６）は、複数の音声出力から
特定の音声出力を選択するように構成されてもよく、発声ユニット（３０８）は、音声出
力に関連するデータをスピーカー（３０２）、または無線オーディオトランスミッター（
例えば、ＩＲ、Ｂｌｕｅｔｏｏｔｈ（登録商標）、無線ＵＳＢプロトコル、ＷｉＦｉ  Ｉ
ＥＥＥ  ８０２．１１ｘプロトコル、２．４ＧＨｚまたは５ＧＨｚ送信）に送信すること
ができる信号に変換するように構成されてもよい。次いで、スピーカー（３０２）が、信
号をヒトに可聴な音波に変換することができる。音声出力に関連するデータは、任意のオ
ーディオファイル、例えば、サンプル音声ファイル、音声のライブラリ、記録データファ
イル、合成音声を形成するために一緒に使用され得る音声ファイル、任意の他の種類の聞
き取れるインディシアファイルを含んでもよい。いくつかの変形例において、分析物測定
デバイス（３００）は、スピーカー（３０２）の代わりに、またはそれに加えてヘッドセ
ットジャックを含んでもよい。ヘッドセットジャックは、発声ユニット（３０８）と、着
脱可能なオーディオ出力デバイス、例えば、出力専用ヘッドホン、外部スピーカー、また
は出力（例えば、片耳もしくは両耳用のヘッドホン）及び入力（例えば、マイク）の両方
を用いるヘッドセットとの間にインターフェースを提供することができる。
【００２８】
いくつかの変形例において、分析物測定デバイス（３００）はまた、分析物測定デバイ
スがユーザに触覚フィードバックを提供し得るように、振動素子（３１４）、例えば、振
動するモータ等を備えてもよい。触覚フィードバックは、筐体（１１８）、ポート（１１
２）、または振動を伝達することが可能な任意の他のデバイスの構成要素によってユーザ
に提供されてもよい。この変形例において、メモリユニット（３１０）は、複数の振動パ
ターンに関連するデータを格納するように構成されてもよく、プロセッサ（３０６）は、
複数の振動パターンから特定のパターンを選択し、振動素子を有効化及び無効化するよう
に構成されるアクチュエータと通信するように構成されてもよい。
【００２９】
いくつかの変形例において、分析物測定デバイス（３００）はまた、ユーザに情報を伝
達するための視覚的出力を生成するように構成されてもよい。図３Ａに示すように、分析
物測定デバイス（３００）は、視覚的出力を生成するように構成される表示部（３１８）
と、表示部（３１８）の視覚的出力を制御するように構成される制御ユニット（３０４）
とを備えてもよい。表示部（３１８）は、ＬＣＤ（液晶ディスプレイ）技術、ＬＰＤ（発
光ポリマーディスプレイ）技術、及び／またはＬＥＤ（発光ダイオード）もしくはＯＬＥ
Ｄ（有機ＬＥＤ）技術を使用してもよいが、他の実施例において他の表示技術が使用され
てもよい。前述のように、表示部（３１８）はまた、表示部（３１８）がタッチスクリー
ンとしても機能し得るように、容量性、抵抗性、赤外線、及び表面弾性波技術を含むがこ
れらに限定されない接触感知技術、他の近接センサアレイ、または表示部（３１８）との
１つ以上の接触点を決定するための他の素子を使用してもよい。制御ユニット（３０４）
は、表示部（３１８）に視覚信号を出力することが可能な電子機器を含んでもよい。図３
Ａ及び図３Ｂに示す変形例において、メモリユニット（３１０）は、表示部（３１８）に
関する複数の視覚的出力に関連するデータを格納するように構成されてもよく、プロセッ
サ（３０６）は、複数の視覚的出力から特定の視覚的出力を選択し、選択された特定の視
覚的出力が表示部（３１８）上に出現するように表示部（３１８）と通信するように構成
されてもよい。表示部（３１８）は、図３Ａ及び図３Ｂにおいて一体型表示部として示さ
れているが、分析物測定デバイス（３００）は表示部（３１８）を備えていなくてもよく
、別個のインターフェース（例えば、携帯電話、コンピュータ、タブレット等）が情報を
表示するために使用されてもよい。
【００３０】
いくつかの実施形態において、分析物測定デバイス（３００）はまた、可聴コマンドを
検出して応答するように構成されてもよい。図３Ｂに示すように、分析物測定デバイス（
３００）は、音声を検出するように構成されるマイク（３１２）と、検出された音声が分
析物測定デバイス（３００）によってどのように利用されるかを解釈して制御するように
構成される制御ユニット（３０４）とを備えてもよい。制御ユニット（３０４）は、音声
を検出し、それをデバイスのための命令に変換することが可能な電子機器を含んでもよい
。例えば、制御ユニット（３０４）は、プロセッサ（３０６）、発声ユニット（３０８）
、及びメモリユニット（３１０）を備えてもよい。マイク（３１２）は、可聴コマンドを
検出し、それをデータ信号に変換するように構成されてもよく、発声ユニット（３０８）
は、データ信号を分析物測定デバイスに関する命令データに変換するように構成されても
よく、メモリユニット（３１２）は、複数の命令に関連する命令データを格納するように
構成されてもよく、プロセッサ（３０６）は、メモリユニット（３１２）に格納された複
数の命令から特定の命令を選択し、それを実装するように構成されてもよい。いくつかの
実施形態において、分析物測定デバイス（３００）は、マイク（３１０）の代わりに、ま
たはそれに加えて、ヘッドセットジャックを含んでもよい。ヘッドセットジャックは、発
声ユニット（３０８）と、着脱可能なオーディオ入力デバイス、例えば、外部マイクまた
は出力（例えば、片耳もしくは両耳用のヘッドホン）及び入力（例えば、マイク）の両方
を用いるヘッドセットとの間にインターフェースを提供することができる。
【００３１】
いくつかの変形例において、分析物測定デバイスは、別個のユーザデバイスと通信して
、聴覚的情報、視覚的情報、または他の情報を提供することができる。例えば、図３Ｂは
、ＲＦ（高周波）回路（３１６）を備える分析物測定デバイス（３００）の変形例を示す
。ＲＦ回路（３１６）は、ＲＦ信号を受信及び送信することができる。ＲＦ回路（３１６
）は、電気信号と電磁信号とを変換し、電磁信号を介して通信ネットワーク及び他の通信
デバイスと通信することができる。ＲＦ回路（３１６）は、アンテナシステム、ＲＦトラ
ンシーバ、１つ以上の増幅器、チューナー、１つ以上の発振器、デジタル信号プロセッサ
、ＣＯＤＥＣチップセット、加入者識別モジュール（ＳＩＭ）カード、メモリ等を含むが
これらに限定されない、これらの機能を行うための周知の回路を備えてもよい。ＲＦ回路
（３１６）は、図４に示す例示的な通信システム（４００）に例示されるネットワーク（
４０６）等のネットワークと通信することができる。
【００３２】
図４は、ユーザデバイス（４０２、４０４）間で聴覚的情報、視覚的情報、または他の
情報を送信及び受信するための例示的なシステム（４００）を示す。第１のユーザデバイ
ス（４０２）は、図３Ａ〜図３Ｂに示されるような分析物測定デバイス（３００）等の分
析物測定デバイスであってもよく、第２のユーザデバイス（４０４）は、携帯電話（例え
ば、スマートフォン）、タブレットコンピュータ、ラップトップコンピュータ、デスクト
ップコンピュータ、ポータブルメディアプレーヤー、ウェアラブルデジタルデバイス（例
えば、デジタル眼鏡、リストバンド、腕時計、ブローチ、アームバンド等）、テレビ、セ
ットトップボックス（例えば、ケーブルボックス、ビデオプレーヤー、ビデオストリーミ
ングデバイス等）、ゲームシステム等の多様なデバイスのうちのいずれかを含んでもよい
。２つのユーザデバイス（４０２、４０４）が描かれているが、いずれの数のユーザデバ
イス（４０２、４０４）がシステム（４００）に含まれてもよい。
【００３３】
ユーザデバイス（４０２、４０４）は、ネットワーク（４０６）を介してデータ（例え
ば、ユーザデータ、検査データ、可聴プロンプト、視覚的プロンプト等）をサーバシステ
ム（４０８）に送信することができる。ネットワーク（４０６）は、携帯電話ネットワー
ク、ＷｉＦｉネットワーク、ワイドエリアネットワーク、ローカルエリアネットワーク、
インターネット等の多様なネットワークのうちのいずれかを含んでもよい。ユーザデバイ
ス（４０２、４０４）は、無線通信によってネットワーク（４０６）と通信してもよい。
無線通信は、Ｇｌｏｂａｌ  Ｓｙｓｔｅｍ  ｆｏｒ  Ｍｏｂｉｌｅ  Ｃｏｍｍｕｎｉｃａ
ｔｉｏｎｓ（ＧＳＭ（登録商標））、Ｅｎｈａｎｃｅｄ  Ｄａｔａ  ＧＳＭ  Ｅｎｖｉｒ
ｏｎｍｅｎｔ（ＥＤＧＥ）、ｈｉｇｈ−ｓｐｅｅｄ  ｄｏｗｎｌｉｎｋ  ｐａｃｋｅｔ  
ａｃｃｅｓｓ（ＨＳＤＰＡ）、ｈｉｇｈ−ｓｐｅｅｄ  ｕｐｌｉｎｋ  ｐａｃｋｅｔ  ａ
ｃｃｅｓｓ（ＨＳＵＰＡ）、Ｅｖｏｌｕｔｉｏｎ、Ｄａｔａ−Ｏｎｌｙ（ＥＶ−ＤＯ）、
ＨＳＰＡ、ＨＳＰＡ＋、Ｄｕａｌ−Ｃｅｌｌ  ＨＳＰＡ（ＤＣ−ＨＳＰＤＡ）、ｌｏｎｇ
ｔｅｒｍ  ｅｖｏｌｕｔｉｏｎ（ＬＴＥ）、ｎｅａｒ  ｆｉｅｌｄ  ｃｏｍｍｕｎｉｃ
ａｔｉｏｎ（ＮＦＣ）、ｗｉｄｅｂａｎｄ  ｃｏｄｅ  ｄｉｖｉｓｉｏｎ  ｍｕｌｔｉｐ
ｌｅ  ａｃｃｅｓｓ（Ｗ−ＣＤＭＡ）、ｃｏｄｅ  ｄｉｖｉｓｉｏｎ  ｍｕｌｔｉｐｌｅ
ａｃｃｅｓｓ（ＣＤＭＡ）、ｔｉｍｅ  ｄｉｖｉｓｉｏｎ  ｍｕｌｔｉｐｌｅ  ａｃｃ
ｅｓｓ（ＴＤＭＡ）、Ｂｌｕｅｔｏｏｔｈ、Ｗｉｒｅｌｅｓｓ  Ｆｉｄｅｌｉｔｙ（Ｗｉ
Ｆｉ）（例えば、ＩＥＥＥ  ８０２．１１ａ、ＩＥＥＥ  ８０２．１１ｂ、ＩＥＥＥ  ８
０２．１１ｇ、及び／またはＩＥＥＥ  ８０２．１１ｎ）、ｖｏｉｃｅ  ｏｖｅｒ  Ｉｎ
ｔｅｒｎｅｔ  Ｐｒｏｔｏｃｏｌ（ＶｏＩＰ）、Ｗｉ−ＭＡＸ、電子メールのプロトコル
（例えば、Ｉｎｔｅｒｎｅｔ  ｍｅｓｓａｇｅ  ａｃｃｅｓｓ  ｐｒｏｔｏｃｏｌ（ＩＭ
ＡＰ）及び／もしくはｐｏｓｔ  ｏｆｆｉｃｅ  ｐｒｏｔｏｃｏｌ（ＰＯＰ））、インス
タントメッセージ（例えば、ｅｘｔｅｎｓｉｂｌｅ  ｍｅｓｓａｇｉｎｇ  ａｎｄ  ｐｒ
ｅｓｅｎｃｅ  ｐｒｏｔｏｃｏｌ（ＸＭＰＰ）、Ｓｅｓｓｉｏｎ  Ｉｎｉｔｉａｔｉｏｎ
Ｐｒｏｔｏｃｏｌ  ｆｏｒ  Ｉｎｓｔａｎｔ  Ｍｅｓｓａｇｉｎｇ  ａｎｄ  Ｐｒｅｓ
ｅｎｃｅ  Ｌｅｖｅｒａｇｉｎｇ  Ｅｘｔｅｎｓｉｏｎｓ（ＳＩＭＰＬＥ）、Ｉｎｓｔａ
ｎｔ  Ｍｅｓｓａｇｉｎｇ  ａｎｄ  Ｐｒｅｓｅｎｃｅ  Ｓｅｒｖｉｃｅ（ＩＭＰＳ））
、及び／もしくはＳｈｏｒｔ  Ｍｅｓｓａｇｅ  Ｓｅｒｖｉｃｅ（ＳＭＳ）、または任意
の他の好適な通信プロトコルを含むがこれらに限定されない、複数の通信の基準、プロト
コル、及び技術のいずれかを使用してもよい。いくつかの変形例において、ユーザデバイ
ス（４０２、４０４）は、ネットワーク（４０６）を介して（例えば、ＮＦＣ、Ｂｌｕｅ
ｔｏｏｔｈ、ＷｉＦｉ等を介して）データを送信することなく、互いに直接通信すること
ができる。
【００３４】
サーバシステム（４０８）は、サーバ、記憶デバイス（クラウドに基づく記憶を含む）
、データベース等を含んでもよく、データを送信するためにユーザデバイス（４０２、４
０４）とともに使用することができる。例えば、ユーザデバイス（４０２）の一方が図３
Ａ〜３Ｂに示される分析物測定デバイス（３００）の一方である変形例において、ユーザ
デバイス（４０２）は、ユーザから情報を受信し、任意選択的に情報を処理し、入力され
た及び／または処理された情報の一部または全てをサーバシステム（４０８）に送信し、
サーバシステム（４０８）から情報を受信し、デバイス（４０２）から聴覚的、視覚的、
または触覚的プロンプトを出力することができる。ユーザデバイス（４０２）は、同様に
聴覚的、視覚的、または触覚的プロンプトを出力し得る第２のユーザデバイス（４０４）
に任意選択的に情報を送信することができる。いくつかの実施形態において、両方のユー
ザデバイス（４０２、４０４）は、サーバシステム（４０８）から情報を受信し、聴覚的
、視覚的、または触覚的プロンプトを出力することができる。いくつかの変形例において
、サーバシステム（４０８）は、情報を処理及び／または格納してもよい。いくつかの場
合において、ユーザデバイス（４０２）は、サーバシステム（４０８）及び／またはネッ
トワーク（４０６）を用いずに情報を受信及び処理することができ、聴覚的、視覚的、ま
たは触覚的プロンプトに関する情報をサーバシステム（４０８）に送信して第２のユーザ
デバイス（４０４）に送信することができ、そこで情報を受信し、聴覚的、視覚的、また
は触覚的プロンプトを出力することができる。いずれの種類の情報が送信されてもよく、
サーバシステム（４０８）及びユーザデバイス（４０２、４０４）は、ネットワーク（４
０６）を介して必要なだけ何回も情報を送信することができる。
【００３５】
本出願の目的のために、特定の出力及びそれに対応する任意のデータまたは信号は「プ
ロンプト」と称される。同様に、本出願の目的のために、特定のユーザ入力及びそれに対
応する任意のデータまたは信号は「コマンド」と称される。例えば、特定の音声出力及び
それに対応する任意のデータまたはオーディオ信号は「聴覚的プロンプト」、特定の視覚
的出力及びそれに対応する任意のデータは「視覚的プロンプト」、特定の聴覚的入力及び
それに対応する任意のデータまたはオーディオ信号は「聴覚コマンド」と称される。
【００３６】
聴覚的プロンプトは、後により詳細に記載されるような発声、音楽、音声、それらの組
み合わせ等を含んでもよい。いくつかの場合において、分析物測定デバイスは、デバイス
の１つ以上の動作を通してユーザを聴覚的に誘導することができる聴覚的プロンプトを生
成するように構成されてもよい。例えば、分析物測定デバイスが一体型デバイスである変
形例において、分析物測定デバイスは、標的分析物の濃度または他の測定値を決定するた
めの流体試料を採取及び分析するための全試料採取プロセスを通して、ユーザを聴覚的に
誘導するように構成されてもよい。一例として、本明細書に記載の分析物測定デバイスの
いくつかの変形例は、デバイスがスリープ／電源オフ状態から覚醒したこと、デバイスが
試料を取得する用意ができたこと、デバイスが試料を取得中であること、試料が取得され
たこと（またはいくつかの場合において、デバイスに追加の試料が適用される必要がある
こと）、及び試料の分析中であることをユーザに聴覚的に通知することができる。分析物
測定デバイスは、次いで、分析の結果（例えば、試料中の血中グルコースの濃度）を提示
することができる。
【００３７】
視覚的プロンプトは、後により詳細に記載されるようなテキスト、図表、記号、または
それらの組み合わせ等を含んでもよい。上で論じた可聴プロンプトと同様に、いくつかの
場合において、分析物測定デバイスは、デバイスの１つ以上の動作を通してユーザを視覚
的に誘導することができる視覚的プロンプトを生成するように、または別様にユーザの検
査履歴または結果に関する情報を伝達するように構成されてもよい。
【００３８】
聴覚コマンドは、後により詳細に記載されるような発声もしくは音声、またはそれらの
組み合わせ等を含んでもよい。ユーザは、分析物測定デバイスに特定のタスクを行うよう
指示するために聴覚コマンドを使用してもよい。
【００３９】
プロンプト
典型的には、分析物モニタ（グルコースモニタ等）は、ユーザに（例えば、表示部を介
して）視覚的に情報を伝達する。例えば、分析物モニタは、試料中の分析物の濃度（例え
ば、グルコース読取値）を視覚的に表示してもよいか、または分析物測定動作に付随する
１つ以上の行為（例えば、検査ストリップまたは他の検査媒体を挿入する、検査媒体に試
料を適用する、分析を待つ）を行うようユーザに指示するプロンプトを視覚的に表示して
もよい。この種の視覚伝達は、通常、表示部に出現する単純なテキストから構成される。
本明細書に記載の分析物測定デバイスは、カスタマイズされた様式で、ユーザに（例えば
、図３Ａに示すデバイス（３００）の表示部（３１８）またはスピーカー（３０２）を介
して）視覚的に、かつ／または聴覚的に情報を提供するように構成されてもよい。一般的
に、聴覚的プロンプトは、視覚障害のあるユーザが、別のユーザからの助けを必要とする
ことなく、（例えば、分析物の分析を終了するために）デバイスを用いた行為を行うこと
を可能にし得るため、情報を聴覚的に提示することは、視覚症状を伴うユーザによる分析
物測定デバイスの使用を促進するかまたは別様に容易にし得る。さらに、カスタマイズさ
れた様式で（視覚的に、聴覚的に、または別様に）情報を提示することは、後により詳細
に記載されるように、より快適なユーザエクスペリエンスを提供することができ、したが
って、ユーザコンプライアンス（例えば、ユーザが指示通りに検査を行うかどうか）を高
め得る。
【００４０】
一般的に、本明細書に記載の分析物測定デバイスは、デバイスの使用中に１つ以上のプ
ロンプトを出力するように構成されてもよい。典型的には、プロンプトは、ユーザの取っ
た行動に応じてまたは計画に基づいて出力されてもよい。例えば、いくつかの変型例にお
いて、分析物測定デバイスは、デバイスの電源をオンにした時またはデバイスが別様に低
電力スリープ状態から覚醒した時にプロンプトを提供してもよい。プロンプトは、挨拶を
提供してもよく、ユーザに現在の時刻を通知してもよい等である。ユーザが分析物測定動
作（例えば、検査シーケンス）を開始させると、分析物測定デバイスは、分析物測定動作
の１つ以上のステップを通してユーザを誘導することができる１つ以上のプロンプトを出
力することができる。例えば、プロンプトは、デバイスに検査ストリップを挿入するよう
に、指等の試料採取部位を検査ポートに配置するように、検査ポートに試料を適用または
再適用するように、それらの組み合わせ等を、ユーザに指示してもよい。プロンプトはま
た、分析物測定動作の状態（例えば、プロンプトは、デバイスが試料を採取中であるかま
たは試料を分析中であるとユーザに通知してもよい）または分析物測定動作の結果（例え
ば、試料中の所与の分析物の濃度）に関してユーザに指示してもよい。分析物測定デバイ
スはまた、複数のプロンプトを同時に出力するように構成されてもよい。例えば、分析物
測定デバイスは、ユーザの取った行動に応じてまたは計画に基づいて、聴覚的プロンプト
及び視覚的プロンプトの両方を出力するように構成されてもよい。
【００４１】
図５Ａ〜図５Ｂを参照すると、いくつかの変形例において、１つ以上のプロンプト（５
０２）は、特定の時間、日付、測定、またはデバイス（５００）の使用に依存し得る。分
析物測定デバイス（５００）は、上記により詳細に記載されるように、データを受信する
、コンパイルする、格納する、かつ／またはデータにアクセスするように構成されてもよ
い。いくつかの変形例において、分析物測定デバイス（５００）は、このデータを所与の
プロンプト（５０２）に組み込むことができる。図５Ａは、時刻に依存し得るプロンプト
（５０２）を出力している本明細書に記載のデバイス（５００）の変形例の一例を示す。
ここに見られるように、デバイス（５００）は、時刻（例えば、朝）を認識して、それに
相関する単数または複数のプロンプト（５０２）（例えば、朝日、「おはようございます
」）を出力するように構成されてもよい。デバイス（５００）は、任意の時刻（例えば、
昼食時、夕方、夜、ユーザが仕事中の時間、ユーザが就寝中の時間等）を認識するように
構成されてもよく、認識された時刻に相関するプロンプトを出力することができる。他の
変形例において、デバイスは、特定の曜日（例えば、「楽しい金曜日を！」、曜日または
日付を含むカレンダーのグラフィック）、または特定の日付（例えば、「お誕生日おめで
とう！」、バースデーケーキのグラフィック、風船を用いて年齢を表示）にプロンプト（
５０２）を出力することができる。いくつかの場合において、プロンプト（５０２）は、
ユーザの検査頻度に依存してもよい。例えば、上記により詳細に記載されるように、分析
物測定デバイス（５００）は、所与の期間中にユーザによって行われる分析物測定操作の
数及び対応する結果を記録し、デバイスによって後に参照され得るデータセットを作成す
るように構成されてもよい。分析物測定デバイス（５００）は、ユーザに検査の履歴及び
結果に関する情報を提供するプロンプト（５０２）を出力するように構成されてもよい。
例えば、分析物測定デバイス（５００）は、予定された検査計画へのコンプライアンス（
またはその欠如）についてユーザに通知する、よりいっそう計画に従うようユーザを励ま
す、いくつの検査を終了したかをユーザに通知する（連続的に、今週、合計等）等のプロ
ンプト（５０２）を出力することができる。
【００４２】
例えば、ユーザが予定された検査計画（例えば、規定時間の連続的または一貫した検査
）に従っている場合、プロンプト（５０２）は、ユーザを褒めてもよい（例えば、「がん
ばっていますね！その調子！」、「いいですね！４日連続で検査しましたね！」、コンプ
ライアンスを数で示すメダルのグラフィック、チェックマークのグラフィック等）。反対
に、ユーザが予定された検査計画に従っていない場合、プロンプト（５０２）は、それを
ユーザに通知してもよい（「シモンズ先生から処方されたように１日２回の検査が行われ
ていません。おそらくもう少し頻繁に検査を行うべきでしょう」、具合の悪い患者のグラ
フィック、「×」のグラフィック等）。
【００４３】
同様に、プロンプト（５０２）は、図５Ｂに示すように、１つ以上の分析物測定動作の
結果に依存してもよい。例えば、分析物測定動作の間に測定された単数または複数の濃度
が一貫して既定の範囲内である場合（例えば、３回の連続した検査、３回の連続した検査
のうちの２回等）、プロンプト（５０２）は、ユーザを褒めてもよい（例えば、「大変よ
い結果です」、スマイリーフェイスのグラフィック等）。測定された単数または複数の濃
度が一貫して既定の範囲外である場合（例えば、３回の連続した検査、３回の連続した検
査のうちの２回等）、プロンプト（５０２）は、より頻繁に検査を行うように、医師に相
談するように、またはユーザの食生活を変更するようにユーザを励ましてもよい（例えば
、「より頻繁に検査を行ったほうがいいかもしれません」、「検査計画についてシモンズ
先生と相談したほうがよいかもしれません」、電話中の医師のグラフィック、キャンディ
のグラフィック等）。ユーザが１日を通して一貫して特定の時間に検査を行っており、ユ
ーザが通常の検査時間として以前に特定された時間に検査を行うことができなかった場合
、プロンプト（５０２）は、ユーザに検査を行うよう思い出させてもよい（「今日は検査
するのを忘れましたか？」、表示部上でクエスチョンマークとともに分析物測定デバイス
が点滅するグラフィック等）。ユーザが検査を行う時間が一貫して規定の範囲外または履
歴に基づいて計算された範囲外である場合、プロンプト（５０２）は、規定の範囲または
履歴に基づいて計算された範囲が過ぎる前に検査を行うようユーザに思い出させてもよい
（例えば、「午後２時に検査するのを忘れないように」、設定された時計及び感嘆符のグ
ラフィック等）。
【００４４】
さらに、上で詳細に論じたように、プロンプト（５０２）のうちの１つ以上が、グルコ
ース事象がいつ発生し得るかの決定の結果に依存してもよい。例えば、プロンプト（５０
２）は、発生するグルコース事象の可能性をユーザに通知してもよい（例えば、「８０％
」、部分的にいっぱいになった１〜１００％の目盛りを有する、温度計のグラフィック等
）。いくつかの変形例において、プロンプト（５０２）は、グルコース事象が直ちに発生
する可能性があること（例えば、「めまいを感じ始めるかもしれません」、病院のグラフ
ィック等）、及び／または迅速な行動が必要であること（例えば、「すぐに検査を行って
ください」、「炭水化物を食べて下さい」、ユーザが検査を行っているグラフィック、推
奨される食物のグラフィック等）をユーザに通知してもよい。いくつかの変形例において
、プロンプト（５０２）は、潜在的にグルコース事象が将来的に発生し得ることをユーザ
に通知してもよく（例えば、「２時間後に低血糖になる可能性があります」、感嘆符と一
緒に時計のグラフィック等）、かつ／または将来的にユーザが取ることを望むであろう行
動を提案してもよい（例えば、「１時間後に再度検査を行ってください」、「３０分後に
軽い食事をしてください」、分析物検査デバイスと一緒に時計のグラフィック等）。
【００４５】
プロンプト（５０２）は、分析物測定デバイス（５００）自体に対して／デバイス自体
で出力されると記載されているが、いくつかの変形例において、プロンプトは、図４を参
照して詳細に上述したように、分析物測定デバイスと通信する別個のデバイス（５０４）
上で出力されてもよい。例えば、ユーザは、分析物測定デバイス（５００）とある程度イ
ンタラクトすることができ（例えば、デバイスの電源を入れる、デバイスの電源を切る、
検査シーケンスを開始する、検査シーケンスを終了する等）、プロンプト（５０２）は、
１つ以上の別個のデバイス（５０４）（例えば、携帯電話、コンピュータ、タブレット等
）上で出力されてもよい。いくつかの変形例において、プロンプト（５０２）は、別の人
物によって使用されるか、またはアクセスされ得る別個のデバイス（５０４）（例えば、
ユーザのかかりつけの診療所のコンピュータ、親類または介護者の携帯電話等）上で出力
されてもよい。他の変形例において、プロンプト（５０２）は、ユーザによって使用され
るかまたはアクセスされ得る別個のデバイス（５０４）（例えば、ユーザの携帯電話、ユ
ーザのコンピュータ、ユーザのヘッドホン（可聴プロンプト用）等）上で出力されてもよ
い。いくつかの実施形態において、プロンプト（５０２）は、図５Ａに示すように、分析
物測定デバイス（５００）及び別個のデバイス（５０４）の両方で出力されてもよい。さ
らに、いくつかの実施形態において、分析物測定デバイス（５００）は、別個のデバイス
（５０４）で実行中であるかまたはそこに格納されたアプリケーションと通信してもよく
、別個のデバイス（５０４）上のアプリケーションに／からデータを受信及び／または送
信することが可能であってもよい。例えば、今または将来的にグルコース事象が起こり得
るとユーザに通知するためにプロンプト（５０２）が出力され得る実施形態において、分
析物測定デバイス（５００）は、別個のデバイス（５０４）で実行中であるか、または、
そこに格納された目覚まし時計アプリケーションと通信してもよく、後でプロンプト（５
０２）を出力するために目覚まし時計を鳴らすようにプログラムされてもよい。
【００４６】
コマンド
一般的に、本明細書に記載の分析物測定デバイスは、デバイスの使用中に１つ以上のコ
マンドを受信するように構成されてもよい。典型的には、コマンドは、ユーザによって与
えられ、デバイスによって受信されてもよい。例えば、いくつかの変形例において、ユー
ザは、デバイスの電源をオンにした後、またはデバイスが別様に低電力スリープ状態から
覚醒した後に、コマンドを与えることができる。コマンドは、デバイスに命令を提供して
もよいか、または別様にユーザがデバイスに完了してほしいと所望する行動を伝達しても
よい。例えば、ユーザは、可聴コマンド（例えば、「起きてください」、「消してくださ
い」、「検査を始めてください」等）を提供してもよく、デバイスは可聴コマンドを受信
してもよく、デバイスは、ユーザの所望の命令を完了すること（例えば、低電力スリープ
状態から覚醒する、電源を切る、検査シーケンスを開始する等）によって応答してもよい
。いくつかの変形例において、ユーザは、ユーザに関する情報及び／またはユーザの現在
のもしくはこれまでの検査結果を要求する可聴コマンドを提供してもよく（例えば、「私
の血糖値はいくつですか？」、「火曜日の私の血糖値はいくつでしたか？」）、デバイス
は、コマンドを受信して、要求された情報にアクセスし、ユーザによって要求された情報
を含むプロンプトを用いて返答してもよい。いくつかの実施形態において、要求された情
報は、検査シーケンスの状態に関する情報、またはユーザが興味を持ちそうな任意の他の
情報を含んでもよい。
【００４７】
聴覚的プロンプト
前述のように、分析物測定デバイスは、ユーザの取った行動（例えば、検査シーケンス
を開始する）に応じてまたは計画（例えば、毎日特定の時間に検査を行うためのリマイン
ダー）に基づいて聴覚的プロンプトを出力することができる。聴覚的プロンプトはまた、
１つ以上のオプションの設定または変更（例えば、デバイスの時計を設定する、アラーム
もしくはリマインダーを設定する、真空ポンプを制御する、またはバックライトを表示す
る）を通してユーザを誘導するように、オンスクリーンメニュー及びオプションを読み取
るために使用されてもよい。下の表１は、本明細書に記載の分析物測定デバイスによって
出力され得る聴覚的プロンプトの複数の例を提供する。
【００４８】
【表１】
2020127755.tif 000003
【００４９】
視覚的プロンプト
また前述のように、分析物測定デバイスは、ユーザの取った行動（例えば、検査シーケ
ンスを開始する）に応じてまたは計画（例えば、毎日特定の時間に検査するためのリマイ
ンダー）に基づいて視覚的プロンプトを出力することができる。視覚的プロンプトはまた
、（聴覚的プロンプトに関して表１で上述されるように）検査シーケンスを通してユーザ
を誘導するように使用されてもよい。検査シーケンスを通してユーザを誘導する視覚的プ
ロンプトは、検査シーケンスのステップの任意の視覚的表現を含んでもよい。例えば、単
純なテキストが表示部に出現してユーザが何をするべきかを説明してもよいか、またはス
テップのグラフィック表現（例えば、ユーザが検査ポートに指を当てるべき時には、検査
ポートに指を当てているグラフィック）が出現してもよい。
【００５０】
他の種類の視覚的プロンプトも企図される。いくつかの実施形態において、光源（例え
ば、ＬＥＤ）がデバイスの構成要素を照射してもよい。例えば、構成要素（表示部、表示
部のベゼル、検査ポート、ボタン等）は、点滅してもよいか、または色を変化させてもよ
い。いくつかの実施形態において、構成要素が照射される色は、ユーザの検査履歴に基づ
いて異なってもよい。例えば、ユーザが予定された検査計画においていずれの検査も怠っ
ていない場合、構成要素は緑色に照射してもよい。０回〜選択された設定回数の検査（例
えば、３回の検査、４回の検査等）を怠った場合、構成要素は黄色に照射してもよい。ユ
ーザが選択された検査の設定回数よりも多くの検査を怠った場合、構成要素は赤色に照射
してもよい。構成要素の照射は、多数の変数（例えば、上記のように怠った検査、最後の
検査からの時間等）及び任意の適切な設定回数（例えば、３回の検査、最後の検査から３
日目等）のいずれかに関連し得る。設定回数は、デバイスに予めプログラムされてもよい
か、ユーザによって入力されてもよいか、医師によって入力されてもよいか、または外部
源からデバイスによって受信されてもよい。構成要素はまた、ユーザの検査履歴に基づい
て点滅もしくはパルス点灯し始めてもよいか、または指定された色で照射する、かつ、点
滅もしくはパルス点灯する、の両方であってもよい。
【００５１】
いくつかの実施形態において、視覚的プロンプトは、ユーザの検査パターン、傾向、及
び／または結果に関するデータを伝達するために利用されてもよい。例えば、いくつかの
場合において、視覚的プロンプトは、指定された変数（例えば、時間、検査頻度、検査の
一貫性、受容された試料の量、分析物測定動作の状態等）に基づいて移動し得るかまたは
別様に位置が変化し得るグラフィックを含んでもよい。例えば、グラフィックは、指定さ
れた変数における変化を伝達するために、Ｘ軸、Ｙ軸、またはＸ軸及びＹ軸の両方に沿っ
て連続的に、または同時に表示されてもよい。いくつかの実施形態において、グラフィッ
クは、指定された変数、または、そのサイズにおける変化を示すために回転してもよいか
、または、示される容量が減少もしくは増加してもよい。他の実施形態において、グラフ
ィックの動きは、変位、回転、及び容量の変化の組み合わせを含んでもよい。
【００５２】
いくつかの変形例において、グラフィックは、多くの検査の累積結果（例えば、特定の
時間枠内に完了した検査の数、所望の範囲内の結果を有する検査の数、連続的に完了した
検査の数、所望の範囲内で検査を完了した日数等）に基づいて変化し得る。例えば、ユー
ザが検査を終了する度に、グラフィックは、完了した全ての検査の累積結果を反映するよ
うに調整されてもよい。いくつかの場合において、グラフィックは、第１の検査前の位置
から第２の検査後の位置に移動するように調整されてもよい。第１の検査前の位置から第
２の検査後の位置へのグラフィックの移動は、ユーザの検査パターンまたは結果に関する
情報をユーザに伝達することができる。例えば、図６Ａは、そのような視覚的プロンプト
（６０２）を出力している分析物測定デバイス（６００）の説明に役立つ実施例である。
視覚的プロンプト（６０２）は、第１の位置（６０４）及び第２の位置（６０６）にハイ
カーが描かれた山（６０８）を含む。この実施例において、山（６０８）は、ユーザの計
画を完全に遵守するために、ユーザが設定された時間枠（例えば、１日、２週間等）の間
に完了しなければならない検査の数のグラフィック表現であってもよい。第１の位置（６
０４）にいるハイカーは、設定された時間枠の間に、ユーザがこれまでいくつの検査を完
了したかをグラフィックで示すことができ、検査シーケンスを開始する前に出現してもよ
い。ユーザが検査シーケンスを完了した後、設定された時間枠の間に遵守に必要な検査の
全てをもう少しで完了することをユーザに示すために、第２の位置（６０６）にいるハイ
カーが出現してもよい。いくつかの実施形態において、第１の位置から第２の位置へのハ
イカーの変位は、ハイカーが移動して見えるようにスクリーン上に出現してもよい。さら
に、ハイカーはＸ軸及びＹ軸の両方に移動しているが、グラフィックは任意の方向に移動
するように、または回転するように構成されてもよいことを理解されたい。グラフィック
は、また、回転経路に沿って移動するように構成されてもよい。いくつかの実施形態にお
いて、グラフィックは、水平方向及び垂直方向のみに移動することができ、回転すること
はできないが、他の実施形態において、グラフィックは、任意の方向に（例えば、線形経
路、回転経路、ジグザグ経路等に沿って）回転及び移動することができる。
【００５３】
いくつかの場合において、グラフィックは、１回の検査の間に収集されたデータ（例え
ば、検査シーケンスが開始してからの時間、完了した／残っている検査シーケンスのステ
ップの数、採取された試料の量等）に基づいて変化してもよい。例えば、デバイスは、分
析物測定デバイスが分析物測定動作を完了する間に、リアルタイムで変化し得るグラフィ
ックとして有効な視覚的プロンプトを出力することができる。一例として、有効な視覚的
プロンプトは、デバイスがユーザから試料を採取する間に容量が増加する、ボウルから水
を飲んでいる猫を含んでもよい。猫の容量は、デバイスが採取した試料の量を示してもよ
く、デバイスが十分な試料体積を採取すると、猫は水を飲むのを止めてボウルから離れて
もよい。有効な視覚的プロンプト（６１４）の別の例を図６Ｂに示す。視覚的プロンプト
（６１４）は、分析物測定動作が行われると指定された軌道に沿って移動するグラフィッ
クを含んでもよい。具体的には、グラフィックは、ユーザが分析物測定動作を開始させた
時に、その指定された軌道または経路の開始点にあってもよく、分析物測定動作が途中ま
で完了した時に、その指定された軌道の中心点にくるように変位してもよく、分析物測定
動作が完了した時に、その指定された軌道の終点にくるように変位されてもよい。例えば
、図６Ｂは、傾斜台（６１０）を出て空中で回転を完了しているレーシングカー（６１２
）を示す。この例では、ユーザが検査シーケンスを開始した時にレーシングカー（６１２
）がデバイス（６００）上に出現してもよい。レーシングカー（６１２）は、検査シーケ
ンスが行われている間、レーシングカー（６１２）の動きが検査シーケンスの進捗を追跡
するように、指定された軌道に沿って垂直方向及び水平方向に移動してもよい。例えば、
レーシングカー（６１２）は、ユーザが検査シーケンスを開始した時に傾斜台（６１０）
から出始めてもよく、レーシングカー（６１２）は、ユーザが検査シーケンスを途中まで
終了した時に１８０度回転してもよく、レーシングカー（６１２）は、検査シーケンスが
完了した時に着地するように見えてもよい。上記実施形態は、例であるに過ぎず、任意の
好適なグラフィック表現が使用されてもよい。
【００５４】
カスタマイゼーション
上で論じたように、分析物採取デバイスは、複数の異なるプロンプトを出力するように
構成されてもよい。いくつかの変形例において、分析物測定デバイスによって出力される
特定のプロンプトは、１つ以上の方法でカスタマイズすることができる。一般的に、分析
物測定デバイスは、複数の「プロンプトタイプ」でプログラムされる。各プロンプトタイ
プは、その間に分析物測定デバイスがプロンプトを出力できるインスタンスを示す。例え
ば、分析物測定デバイスは、第１のプロンプトタイプ（例えば、デバイスの電源をオンに
した時またはデバイスが低電力スリープ状態から覚醒した時にプロンプトを提供する）、
第２のプロンプトタイプ（例えば、ユーザが所与の時間枠内に所与の数の連続的な検査を
行った時にプロンプトを提供する）、及び第３のプロンプトタイプ（例えば、デバイスが
分析物測定動作を完了した時にプロンプトを提供する）で構成されてもよい。各プロンプ
トタイプごとに、分析物測定デバイスは、そのプロンプトタイプのために選択され得る１
つ以上のプロンプトでプログラムされてもよい。分析物測定デバイスは、各プロンプトタ
イプに対してプロンプトを選択するように構成されてもよく、これらの選択は集合的にプ
ロンプトセットと称される。ユーザまたはデバイスが、複数の可能なプロンプトセットの
うちの１つから選択することが可能であってもよく、現在選択されているプロンプトセッ
トは、本明細書において有効なプロンプトセットと称される。有効なプロンプトセットは
、ユーザによって手動で設定されてもよいか、または、後により詳細に論じられるように
、分析物測定デバイスによって自動的に決定されてもよい。典型的には、プロンプトセッ
トの各プロンプトタイプにつき単一のプロンプトが選択されるが、いくつかの場合におい
て、プロンプトセット内の所与のプロンプトタイプに対して複数の異なるプロンプトが選
択されてもよい。これらの場合、分析物測定デバイスが、プロンプトタイプを出力するた
めの条件が満たされたと判断したら、デバイスは、複数の異なるプロンプトのうちの１つ
をランダムに、または所定の順序で選択することができる。さらに、本出願の目的のため
に、プロンプトタイプの特定のプロンプトが測定値または時間（例えば、試料中の分析物
の濃度、測定間に経過した時間の長さ、デバイスが検査操作を行った連続日数、現在の時
刻等）を伝達することが企図される場合、たとえプロンプトによって伝達される実際の測
定値または時間が、プロンプトが出力されるインスタンスに依存して異なり得る場合であ
っても、プロンプトは単一のプロンプトであると見なされる。
【００５５】
所与のプロンプトタイプに対して２つ以上のプロンプトが使用される場合、プロンプト
は任意の好適な様式で異なってもよい。いくつかの変形例において、プロンプトタイプは
、異なる言語が用いられる聴覚的プロンプトの変形例（例えば、第１の変形例では「ＰＯ
ＧＯ（登録商標）へようこそ」、第２の変形例では「グルコースを検査しましょう！」）
を有してもよい。他の変形例において、プロンプトタイプは、異なるグラフィックが使用
される視覚的プロンプトの変形例（例えば、第１の変形例では朝日が昇るところ、第２の
変形例ではボウルに入ったシリアル）を有してもよい。いくつかの実施形態において、プ
ロンプトタイプは、それに関連する聴覚的プロンプト、視覚的プロンプト、及び触覚的プ
ロンプトを有してもよい。複数のプロンプト（例えば、視覚的、聴覚的、触覚的）が１つ
のプロンプトタイプと関連する実施形態において、プロンプトタイプはプロンプトの変形
例（例えば、２つの異なる視覚的プロンプト、２つの異なる聴覚的プロンプト）を含み、
プロンプトの任意の組み合わせが使用されてもよく、該組み合わせは、任意の好適な様式
で（例えば、ユーザによって、ランダムに等）選択されてもよい。
【００５６】
特に聴覚的プロンプトに関して、プロンプトは、異なる声が使用される変形例を有して
もよい（例えば、第１の変形例では女性の声、第２の変形例では男性の声）。付加的にま
たは代替的に、プロンプトは、異なる音響効果がプロンプトと関連する変形例を有しても
よい（例えば、プロンプトが、頻繁な検査に対して「いいですね！４日連続で検査しまし
た」等の正の強化を与える場合、最初の変形例は、声援を送る群衆の声を含んでもよく、
第２の変形例は、トランペットのファンファーレを含んでもよい）。
【００５７】
いくつかの変形例において、デバイスは、ユーザが１つ以上の聴覚的プロンプトを録音
することができるように構成されてもよい。例えば、分析物測定デバイスが子供によって
使用される場合、デバイスがその子供の親または介護者によって録音された聴覚的プロン
プトを出力することが望ましいかもしれない。聞き慣れた声の聴覚的プロンプトを提供す
ることにより、子供がデバイスを使用する際にさらなる安心感を与えることが可能であり
、それによってデバイスに関連する不安を軽減することができ、より頻繁に検査を行うよ
う子供に奨励することができる。録音された聴覚的プロンプトは、任意の好適な様式で分
析物測定デバイスに提供されてもよい。いくつかの変形例において、聴覚的プロンプトは
、外部デバイス（例えば、コンピュータ、電話、タブレット、レコーダー等）上でユーザ
によって録音されてもよく、（例えば、上でより詳細に論じたように、ＵＳＢ接続及び／
またはＷｉＦｉもしくはＲＦＩＤ等の無線接続等の物理的接続を使用して）分析物測定デ
バイスに送信されてもよい。これらの変形例において、外部デバイスは、後により詳細に
論じられるように、特定の聴覚的プロンプトの録音を容易にするように構成されるプロン
プト録音モードを有するプログラムを含んでもよい。
【００５８】
他の変形例において、分析物測定デバイスは、１つ以上の聴覚的プロンプトを録音する
ように構成されてもよい。これらの変形例において、分析物測定デバイスは、ユーザの声
を取り込むように構成されるマイクまたは他の音声録音デバイスを備えてもよい。さらに
、分析物測定デバイスは、プロンプト録音モードでプログラムされてもよい。デバイスを
プロンプト録音モードにすると、デバイスは、１つ以上の音声プロンプトの録音を通して
ユーザを誘導するように構成されてもよい。プロンプト録音モードは、分析物測定デバイ
スの初期設定の間に開始されてもよいか、または（例えば、メニューコマンドを介して）
ユーザによって選択的に開始されてもよい。分析物測定デバイスは、所定の数の聴覚的プ
ロンプト（例えば、所与のプロンプトセット等）を介してユーザを自動的に誘導するよう
に構成されてもよいか、またはユーザが、どの聴覚的プロンプトを録音したいかを選択し
てもよい。プロンプト録音モードで録音される各聴覚的プロンプトの場合、分析物測定デ
バイスは、どのプロンプトまたはプロンプトタイプが録音されるかを特定し（例えば、「
簡単な励ましの言葉を言ってください」、「指示があったら次の言葉を繰り返してくださ
い：おはようございます！」）、いつ録音を開始及び／または停止するかをユーザに指示
するように構成されてもよい（例えば、「カウントダウンの後に録音を開始し、終了した
ら電弁ボタンを押してください。３、２、１」）。聴覚的プロンプトが録音されてから、
プロンプト録音モードは、録音されたプロンプトを１つ以上のプロンプトタイプ（また、
いくつかの場合において、１つ以上のプロンプトセット）と関連付けるように構成されて
もよい。
【００５９】
分析物測定デバイスが複数のユーザによって使用される可能性があるいくつかの変型例
において、デバイスは、デバイスの異なるユーザに対して異なる有効なプロンプトセット
を選択するように構成されてもよい。例えば、１つ以上のプロンプトタイプが、特定のユ
ーザにカスタマイズされた１つ以上のプロンプトを含んでもよい。例えば、プロンプトタ
イプが分析物測定値を提供するように構成される場合、第１のユーザにとって有効なプロ
ンプトセットは、聴覚的プロンプト（例えば、「ジョン、あなたの血中グルコースは８５
ｍｇ／ｍｍｏｌです」）または視覚的プロンプト（例えば、声援を送る男性）の第１の変
形例を出力してもよく、第２のユーザにとって有効なプロンプトセットは、聴覚的プロン
プト（例えば、「サリー、あなたの血中グルコースは８５ｍｇ／ｍｍｏｌです」）または
視覚的プロンプト（例えば、声援を送る女性）の第２の変形例を出力してもよい。いくつ
かの変形例において、プロンプトは、所与のユーザに合わせることができ（例えば、ユー
ザの名前、ユーザの医師の名前を用いることによって等）、そのユーザに関する情報を使
用してもよい。付加的にまたは代替的に、プロンプトは、ユーザの好みに基づいてユーザ
によって選択されてもよい（例えば、男性の声を好むユーザがあれば、女性の声を好むユ
ーザもある）。いくつかの変形例において、上で論じたように、ユーザによって設定され
たユーザプロファイルからの情報を用いて、プロンプトを所与のユーザに合わせることが
できる。
【００６０】
一般的に、分析物測定デバイスは、複数の個々のユーザのためにユーザ固有のプロンプ
トセットを格納するように構成されてもよい。デバイスが、複数の個々のユーザのうちの
１人がデバイスを使用していると判断すると、デバイスは、そのユーザに関連するユーザ
固有のプロンプトセットを有効なプロンプトセットとして自動的に設定するように構成さ
れてもよい。いくつかの変形例において、分析物測定デバイスは、ユーザのユーザプロフ
ァイルに格納された情報に基づいて特定のプロンプトセットを選択またはロードするよう
に構成されてもよい。デバイスが未確認ユーザによって使用されている場合、デバイスは
、デフォルトのプロンプトセットを有効なプロンプトセットとして設定するように構成さ
れてもよい。個々のユーザは、それらのユーザ固有のプロンプトセットを変更してもよく
（例えば、メニュー機能を使用して、または彼らのユーザプロファイル内で変更）、複数
の個々のユーザに新しいユーザが追加されてもよい。分析物測定デバイスは、任意の好適
な様式でユーザを区別するように構成されてもよい。いくつかの変形例において、ユーザ
は、彼らのユーザプロファイルにアクセスするために、またはアクセスすることをデバイ
スに示すために、分析物測定デバイスにログインしてもよいか、または別様に識別コード
を入力してもよい。これらの変形例のいくつかにおいて、デバイスを分析物測定操作に使
用できる前に、ユーザはログインすることを要求される場合がある。付加的に、または代
替的に、ユーザは、ＵＳＢスティック、メモリカード等を分析物測定デバイスに挿入して
もよく、デバイスは、この構成要素からユーザのアイデンティティを決定することができ
る。付加的に、または代替的に、ユーザは、ユーザを判定するために分析物測定デバイス
によって無線で検出され得るキーフォブまたは他の外部デバイスを携帯してもよい。
【００６１】
着脱可能なまたは付加的な構成要素
いくつかの変形例において、分析物測定デバイスは、デバイスの１つ以上の構成要素に
基づいて有効なプロンプトセット（またはデフォルトの有効なプロンプトセット）を選択
することができる。いくつかの場合において、分析物測定デバイスは、分析物測定デバイ
スが複数の異なる物理的外観のうちの１つを有し得るように構築及び／または製造されて
もよい。例えば、分析物測定デバイスは、外部筐体（図１Ｂに関連して上で論じたような
メーター（１００）のメーター筐体（１１８）等）を備え、外部筐体は、分析物測定デバ
イスの物理的外観を変更するように改変されてもよい。例えば、外部筐体の表面輪郭及び
／または色は、分析物測定デバイスの物理的外観を変更し得る。同様に、外部筐体は、１
つ以上の視覚パターン（例えば、ジグザグパターン、水玉等）及び／または画像（例えば
、動物、レーシングカー等）で構成されてもよい。
【００６２】
したがって、いくつかの変形例において、分析物測定デバイスは、各構成が異なる物理
的外観を有する複数の異なる構成のうちの１つで構築及び／または製造されてもよい。こ
れらの変形例のうちのいくつかにおいて、分析物測定デバイスの各構成は、その構成と関
連するデフォルトの有効なプロンプトセットを有してもよい。したがって、システム及び
キットは、各々が外観に特定のデフォルトの有効なプロンプトセットを有する、異なる物
理的外観を有する複数の分析物測定デバイスを含んでもよい。いくつかの場合において、
デバイスの所与の構成に対するデフォルトの有効なプロンプトセットは、分析物測定デバ
イスの物理的外観と主題的に関連してもよい。例えば、分析物測定デバイスの１つの構成
の筐体の１つ以上の部分は、車の画像を含んでもよく、関連する聴覚的プロンプトセット
は、車に関連する音響効果（例えば、エンジンの吹かし音、タイヤのきしみ）及び／もし
くは発声（例えば、「エンジンをかけてください」）を含んでもよく、かつ／または関連
する視覚的プロンプトセットは、車に関連する視覚効果（例えば、車の中でカギを回して
いる運転手、回転するタイヤ）を含んでもよい。別の構成は、猫の画像を含んでもよく、
関連する聴覚的プロンプトセットは、猫に関連する音響効果（例えば、ゴロゴロと喉を鳴
らす音、ニャーという鳴き声）及び／もしくは発声（例えば、（満足げに喉をゴロゴロな
らしながら）「その検査はパーフェクトでした」）を含んでもよく、かつ／または関連す
る視覚的プロンプトセットは、猫に関連する視覚効果（例えば、猫をなでている人、話を
しているように見える猫）を含んでもよい。分析物測定デバイスは、各々がグラフィック
な外観及び関連するプロンプトのセットを有する、任意の好適な数の異なる構成を有して
もよい。
【００６３】
いくつかの変形例において、ユーザは、デバイスの物理的外観を変更するために、分析
物測定デバイスの１つ以上の構成要素を交換してもよく、かつ／または１つ以上の付加的
な構成要素を追加してもよい。いくつかの変形例において、分析物測定デバイスは、これ
らの構成要素のうちの１つの交換または追加に応じて有効なプロンプトセットを変更する
ように構成されてもよい。いくつかの場合において、分析物測定デバイスの筐体の一部は
、開放可能な部分が開放可能な部分の別の変形例と交換され得るように、分析物測定デバ
イスに開放可能に装着されてもよい。他の変形例において、筐体は、スナップフィットコ
ネクタ、摺動コネクタ、クリップ等を使用して付加的な構成要素を受容するように構成さ
れてもよい。システムまたはキットは、単一の着脱可能な筐体部分を含んでもよいか、ま
たはそれらは複数の着脱可能な筐体部分を含んでもよい。複数の着脱可能な筐体部分を含
むシステムまたはキットにおいて、分析物測定デバイスは、複数の着脱可能な筐体部分の
うちの１つが一度に分析物測定デバイスに接続され得るように構成されてもよい。分析物
測定デバイスの着脱可能な筐体部分を変更することによって分析物測定デバイスの外観を
変更し得るように、複数の着脱可能な筐体部分は、上述のように異なる物理的外観を有し
てもよい。いくつかの変形例において、デバイスの着脱可能な筐体部分を変更することは
、デバイスの物理的外観を著しく変化させない場合があるが、なおも有効なプロンプトセ
ットを変更し得る。いくつかの場合において、着脱可能なまたは付加的な筐体部分は、デ
ータ（例えば、更新されたソフトウェアまたはファームウェア）のデバイスへの送達を可
能にし得る。
【００６４】
いくつかの実施形態において、筐体の着脱可能な部分は、筐体のフロントカバーであっ
てもよい。例えば、図１Ｂに示されるデバイスの変形例において、メーター筐体（１１８
）は、着脱可能なフロントカバー（１３２）を備えてもよい。他の変形例において、筐体
にフロントカバーが追加されてもよい。例えば、図７Ａに示される分析物測定デバイス（
７００）の変形例において、筐体（７０２）は、第１のフロントカバー（７０４）を備え
てもよく、第２のフロントカバー（７０６）を受容するように構成されてもよい。第２の
フロントカバー（７０６）は、デバイスの物理的外観を変化させ、有効なプロンプトセッ
トを変更し、かつ／またはその中に格納されたデータをデバイスに送達することができる
。他の実施形態において、筐体の着脱可能な部分は、フロントカバー以外の構成要素であ
ってもよい。例えば、図７Ａ及び図７Ｂに示すように、筐体の着脱可能な部分は、底部（
７０８）、ポート（７１０）、電池カバー（７１２）、バックカバー（７１４）等を備え
てもよい。
【００６５】
いくつかの実施形態において、カートリッジは、プロンプトセットに関連する情報を運
搬するように構成されてもよい。カートリッジ（１０２）は、情報を運搬する情報格納部
材（１３４）を備えてもよく、メーター（１００）と通信して格納された情報を伝達する
ことができる。例えば、格納情報部材（１３４）は、図１Ｃに示すように１つ以上のバー
コードを含んでもよい。これらの変形例において、メーター（１００）は、１つ以上のバ
ーコードスキャナ／リーダを備えてもよい。カートリッジが円筒状であるか、または別様
に丸みを帯びた断面領域を有する変形例において、カートリッジは、バーコードの読み取
りを促進するために回転させてもよい。他の場合において、メーター（１００）は、バー
コードを読み取ることができる位置にカートリッジを移動させるように構成されてもよい
。
【００６６】
カートリッジは、任意の好適な数のバーコード（例えば、ゼロ、１つ、２つ、３つ、ま
たは４つ以上のバーコード）を含んでもよい。いくつかの変形例において、情報格納部材
（１３４）は、例えば、ＲＦ伝送、光通信によって、または直接的な電気通信を介してメ
ーターに情報を伝達することができる１つ以上のメモリチップまたはカードを含んでもよ
い。他の変形例において、別個のメモリカードまたはチップがカートリッジとともにパッ
ケージ化されてもよく、かつ／または提供されてもよい。後により詳細に論じられるよう
に、このメモリカードまたはチップは、情報をメーターに伝達するようにメーターの一部
に挿入されてもよい。
【００６７】
前述のように、分析物測定デバイスは、分析物測定デバイスに現在接続されている着脱
可能な部分に基づいて有効なプロンプトセットを変更するように構成されてもよい。いく
つかの変形例において、分析物測定デバイスは、どの着脱可能な部分がデバイスに接続さ
れているかを自動的に検出し、着脱可能な部分に関連する有効なプロンプトセットを選択
するように構成されてもよい。いくつかの実施形態において、着脱可能な部分は、デバイ
スに接続された着脱可能な構成要素について、及び／または接続された着脱可能な構成要
素と関連するプロンプトセット（例えば、聴覚的、視覚的等）について、情報を包含する
かもしくは送信することができるか、または別様に分析物測定デバイスと通信できる識別
子を含んでもよい。例えば、システムは、着脱可能な筐体部分を受容するように構成され
る分析物測定デバイスを備えてもよく、第１の型の着脱可能な筐体部分及び第２の型の着
脱可能な筐体部分をさらに含んでもよい。第１の型の着脱可能な筐体部分は、それと関連
する第１のプロンプトセットを有してもよく、第２の型の着脱可能な筐体部分は、それと
関連する第２のプロンプトセットを有してもよい。第１の型の着脱可能な筐体部分が分析
物モニタに装着されると、分析物測定デバイスは、第１の型の識別子を検出し、第１のプ
ロンプトセットを有効なプロンプトセットとして設定するように構成されてもよい。ユー
ザは、第１の型の着脱可能な筐体部分を除去し、第２の型の着脱可能な筐体部分を分析物
測定デバイスに接続してもよい。第２の型の着脱可能な筐体部分を接続すると、分析物測
定デバイスは、第２の型の識別子を検出することができ、第２のプロンプトセットを有効
なプロンプトセットとして設定することができる。いくつかの変形例において、識別子は
、プロンプトセットと一体化して形成されてもよい。
【００６８】
システム及びキットは、単一の着脱可能な筐体部分、または所与の着脱可能な筐体部分
の複数の型を含んでもよい。複数の型の各型は、関連する識別子及びプロンプトセットを
有してもよく、分析物測定デバイスは、着脱可能な筐体部分の型を検出し、関連するプロ
ンプトセットを有効なプロンプトセットとして設定するように構成されてもよい。いくつ
かの変形例において、着脱可能な筐体部分の各型は、異なるプロンプトセットを含んでも
よい。プロンプトセット内の少なくとも１つのプロンプトが異なる場合、またはプロンプ
トセットが異なる数のプロンプトを含む場合、第１のプロンプトセットは、第２のプロン
プトセットとは異なると見なされてもよい。
【００６９】
付加的にまたは代替的に、図８Ａ〜図８Ｂに示すように、スキン（８０２）（例えば、
シリコンケース等）は、分析物測定デバイス（８００）の筐体（８０４）の一部を覆って
配置されて接続されてもよく、それによって分析物測定デバイス（８００）の物理的外観
を変化させ得る。これらの変形例において、分析物測定デバイス（８００）は、スキン（
８０２）内／上の識別子の存在を検出するように構成されてもよく、スキン（８０２）と
関連するプロンプトセット（聴覚的、視覚的等）を有効なプロンプトセットとして設定す
るように構成されてもよい。いくつかの場合において、システムまたはキットは、プロン
プトセットと関連する識別子を含むスキン（８０２）を含んでもよい。他の変形例におい
て、システムまたはキットは、複数の型のスキン（８０２）（例えば、異なる物理的外観
または構成を有する）を含んでもよく、各型は、それと関連するプロンプトセットを伴う
識別子を含む。これらの変形例において、分析物測定デバイスは、識別子を使用して、ど
の型のスキン（８０２）がデバイス（８００）に接続されているかを検出するように構成
されてもよく、その識別子と関連するプロンプトセットを有効なプロンプトセットとして
設定してもよい。例えば、システムは、分析物測定デバイスと、関連する第１のプロンプ
トセットを有する第１の型のスキンと、関連する第２のプロンプトセットを有する第２の
型のスキンとを含んでもよい。スキンは、上で論じたような異なる物理的外観を有しても
よい。これらの変形例において、第１のスキンが分析物測定デバイスに装着されると、分
析物測定デバイスは、第１のスキンの識別子を検出し、第１のプロンプトセットを有効な
プロンプトセットとして設定するように構成されてもよい。ユーザは、第１の型を除去し
、第２の型のスキンを分析物測定デバイスに接続してもよい。これらの場合において、分
析物測定デバイスは、第２のスキンの識別子を検出し、第２のプロンプトセットを有効な
プロンプトセットとして設定するように構成されてもよい。いくつかの変形例において、
識別子は、プロンプトセットと一体化して形成されてもよい。
【００７０】
分析物測定デバイスが筐体の着脱可能な部分及びスキンの両方を受容するように構成さ
れる変形例において、分析物測定デバイスは、着脱可能な部分の型またはスキンの型のい
ずれかに基づいて聴覚的プロンプトのセットを選択するように構成されてもよい。これら
の変形例のうちのいくつかにおいて、分析物測定デバイスが、スキン及び着脱可能な部分
の両方が存在する場合に、着脱可能な部分と関連するプロンプトセットの代わりにスキン
と関連するプロンプトセットを有効なプロンプトセットとして設定するように構成される
ように、スキンの存在が着脱可能な部分の存在に優先してもよい。いくつかの場合におい
て、たとえ特定の型のスキンまたは着脱可能な筐体部分が分析物測定デバイスに装着され
る場合であっても、ユーザは、例えば、デバイス上のメニューにおける選択を変更するこ
とによって、有効なプロンプトセットを変更することが可能であり得る。
【００７１】
分析物測定デバイスは、着脱可能な筐体部分及び／またはスキンの識別子を任意な好適
な様式で検出するように構成されてもよい。いくつかの変形例において、着脱可能な筐体
部分／スキンは、分析物測定デバイスに装着された時に、分析物測定デバイスの制御ユニ
ットと直接的な電気通信を達成するように構成されてもよい。例えば、着脱可能な筐体部
分またはスキンは、分析物測定デバイスの電気的インターフェースと物理的に接触し得る
電気的インターフェース（ＵＳＢインターフェース等）を含んでもよく、分析物測定デバ
イスは、電気接続に基づいて着脱可能な筐体部分／スキンの存在及び／または識別子を認
識または判断することが可能であり得る。付加的に、または代替的に、着脱可能な筐体部
分／スキンの１つ以上の部分は、着脱可能な筐体部分／スキンの存在及び／または識別子
を示すために分析物測定デバイスの１つ以上のボタンを物理的に押すことができる。付加
的に、または代替的に、分析物測定デバイスが着脱可能な筐体部分／スキンの存在及び／
または識別子を認識または判断するように構成されてもよいように、着脱可能な筐体部分
／スキンは、（例えば、ＷｉＦｉまたはＲＦＩＤを介して）分析物測定デバイスと無線で
通信するように構成されてもよい。
【００７２】
分析物測定デバイスが、着脱可能な筐体部分またはスキンの識別子に対応するプロンプ
トセットに基づいて有効なプロンプトセットを設定するように構成される場合、プロンプ
トセットからの特定のプロンプトは、任意の好適な場所から呼び出されてもよい。いくつ
かの変形例において、分析物測定デバイスは、種々のプロンプトセットに含まれる必要な
プロンプトで予めプログラムされてもよい。例えば、システムが分析物測定デバイス及び
複数の型の着脱可能な筐体部分（各型が対応するプロンプトセットを有する）を含む場合
、分析物測定デバイスは、対応するプロンプトの各々の聴覚的プロンプトで予めプログラ
ムされてもよい。付加的に、または代替的に、分析物測定デバイスは、着脱可能な筐体部
分／スキンから１つ以上のプロンプトを呼び出すように構成されてもよい。これらの変形
例において、着脱可能な筐体部分／スキンは、１つ以上のプロンプトまたはプロンプトセ
ットを（例えば、フラッシュメモリまたは集積回路等のメモリに）格納するように構成さ
れてもよく、分析物測定デバイスは、着脱可能な筐体部分／スキンからプロンプトまたは
プロンプトセットを呼び出すように構成されてもよい。これらの変形例のうちのいくつか
において、分析物測定デバイスは、分析物測定デバイスのメモリにプロンプトを永久的に
格納することなく、着脱可能な筐体部分／スキンからプロンプトを呼び出して使用するよ
うに構成されてもよい。他の変形例において、分析物測定デバイスは、着脱可能な部分／
スキンからプロンプトをダウンロードして格納するように構成されてもよい。これらの変
形例において、ダウンロードされたプロンプトは、たとえ特定の型の着脱可能な筐体部分
／スキンが分析物測定デバイスから除去された場合であっても、例えば、選択メニューを
使用して、（例えば、ユーザによって）後に選択されてもよい。さらに他の変形例におい
て、着脱可能な筐体部分／スキンの型に関連するプロンプトまたはプロンプトセットは、
直接接続（ＵＳＢインターフェース）または無線接続（例えば、ＷｉＦｉ、ＲＦＩＤ）の
いずれかを介して、外部デバイス（例えば、コンピュータ、タブレット、分析物測定デバ
イスと通信する電話、分析物測定デバイスに挿入され得るメモリスティック等）からダウ
ンロードされてもよい。いくつかの変形例において、着脱可能な筐体部分／スキンは、着
脱可能な筐体部分／スキンがデバイスと通信した時にデバイスに転送され得る更新された
ソフトウェア／ファームウェアを包含してもよい。ソフトウェア／ファームウェアの更新
内容は、プロンプトセットに加えて、または、その代わりに着脱可能な筐体部分／スキン
に包含されてもよい。
【００７３】
前述のように、分析物測定デバイスは、着脱可能な筐体部分／スキンからデバイスの制
御ユニットへ情報を伝達することが可能な様々な構成要素を備えてもよい。図７Ｃは、バ
ックカバー（７１４）が除去された状態の本明細書に記載の分析物測定デバイスの変形例
を示す。この実施形態において、分析物測定デバイス（７００）は、デバイスの使用中に
電池の下に位置する電気接点（７１６）を含んでもよい。電気接点（７１６）は、着脱可
能な筐体部分の対応する電気接点、例えば、電池カバー（７１２）と嵌合するかまたは別
様に通信するように構成されてもよい。代替的に、または付加的に、デバイス（８００）
は、デバイスの着脱可能な部分の中または上に包含される１つ以上の対応する無線チップ
と通信し得る１つ以上の無線チップ（７１８）を含んでもよい。いくつかの実施形態にお
いて、デバイス（８００）はまた、デバイスの着脱可能な部分上のＵＳＢプラグと物理的
に接触し得るＵＳＢポート（７２０）を備えてもよい。これらの構成要素は、上述のよう
に、筐体のいずれの着脱可能な部分もしくは付加的な部分と、またはスキンと嵌合しても
よい。
【００７４】
図８Ａ〜図８Ｄは、本明細書に記載の分析物測定デバイスの別の変形例を示す。図８Ａ
及び図８Ｂは、スキン（８０２）が筐体（８０４）を部分的に覆った状態の分析物測定デ
バイス（８００）の正面図及び斜視図を示す。図８Ｃ〜図８Ｄは、それぞれ、スキン（８
０２）のない状態及びスキンが筐体（８０４）を部分的に覆った状態の分析物測定デバイ
ス（８００）の上面斜視図を示す。ここに示す分析物測定デバイス（８００）は、スキン
（８０２）の交換または追加から情報を受信することができる。スキン（８０２）は、情
報を格納及び伝達するための任意の好適な手段を含んでもよい。例えば、スキン（８０２
）は、情報を格納して、それをデバイス（８００）の制御ユニットに伝達することができ
るチップ（８０６）を含んでもよい。いくつかの変形例において、スキンは、デバイス（
８００）のＵＳＢポート（８１０）と物理的に接触し得るＵＳＢプラグ（８０８）を備え
てもよい。ＵＳＢポート（８１０）はデバイス（８００）の上部に描かれているが、これ
はスキン（８０２）または他の着脱可能なもしくは付加的な筐体部分との接続に好適ない
ずれの位置に配置されてもよい。いくつかの変形例において、デバイス（８００）へのス
キン（８０２）の装着が、デバイス（８００）がＵＳＢを介して別の構成要素と接続する
のを妨げないように、スキン（８０２）は、ＵＳＢプラグ（８０８）及びＵＳＢポート（
８１２）の両方を備えてもよい。
【図１Ａ】
2020127755.tif 000004
【図１Ｂ】
2020127755.tif 000005
【図１Ｃ】
2020127755.tif 000006
【図２Ａ】
2020127755.tif 000007
【図２Ｂ】
2020127755.tif 000008
【図３Ａ】
2020127755.tif 000009
【図３Ｂ】
2020127755.tif 000010
【図４】
2020127755.tif 000011
【図５Ａ】
2020127755.tif 000012
【図５Ｂ】
2020127755.tif 000013
【図６Ａ】
2020127755.tif 000014
【図６Ｂ】
2020127755.tif 000015
【図７Ａ】
2020127755.tif 000016
【図７Ｂ】
2020127755.tif 000017
【図７Ｃ】
2020127755.tif 000018
【図８Ａ】
2020127755.tif 000019
【図８Ｂ】
2020127755.tif 000020
【図８Ｃ】
2020127755.tif 000021
【図８Ｄ】
2020127755.tif 000022
【手続補正書】
【提出日】令和2年5月26日(2020.5.26)
【手続補正１】
【補正対象書類名】明細書
【補正対象項目名】００７４
【補正方法】変更
【補正の内容】
【００７４】
図８Ａ〜図８Ｄは、本明細書に記載の分析物測定デバイスの別の変形例を示す。図８Ａ及び図８Ｂは、スキン（８０２）が筐体（８０４）を部分的に覆った状態の分析物測定デバイス（８００）の正面図及び斜視図を示す。図８Ｃ〜図８Ｄは、それぞれ、スキン（８０２）のない状態及びスキンが筐体（８０４）を部分的に覆った状態の分析物測定デバイス（８００）の上面斜視図を示す。ここに示す分析物測定デバイス（８００）は、スキン（８０２）の交換または追加から情報を受信することができる。スキン（８０２）は、情報を格納及び伝達するための任意の好適な手段を含んでもよい。例えば、スキン（８０２）は、情報を格納して、それをデバイス（８００）の制御ユニットに伝達することができるチップ（８０６）を含んでもよい。いくつかの変形例において、スキンは、デバイス（８００）のＵＳＢポート（８１０）と物理的に接触し得るＵＳＢプラグ（８０８）を備えてもよい。ＵＳＢポート（８１０）はデバイス（８００）の上部に描かれているが、これはスキン（８０２）または他の着脱可能なもしくは付加的な筐体部分との接続に好適ないずれの位置に配置されてもよい。いくつかの変形例において、デバイス（８００）へのスキン（８０２）の装着が、デバイス（８００）がＵＳＢを介して別の構成要素と接続するのを妨げないように、スキン（８０２）は、ＵＳＢプラグ（８０８）及びＵＳＢポート（８１２）の両方を備えてもよい。
以下に本発明の実施の形態を列挙する。
[実施形態１]
流体試料中の分析物と反応して測定可能な反応を生じさせるよう構成された分析物定量化部材と、
前記測定可能な反応を検出し、前記分析物の濃度を決定するよう構成された分析物測定デバイスであって、前記分析物測定デバイスは、
解放可能な筐体部分を備える筐体であって、前記解放可能な筐体部分は、聴覚的プロンプトセットと関連する情報送信装置を備える、筐体と、
スピーカーと、
制御ユニットであって、前記制御ユニットは、前記情報送信装置を検出し、前記検出された情報送信装置と関連する前記聴覚的プロンプトセットを有効なプロンプトセットとして設定し、前記有効なプロンプトセットを前記スピーカーを介して出力するよう構成される、制御ユニットと、を備える、分析物測定デバイスとを備え、
前記解放可能な筐体部分と関連する前記聴覚的プロンプトセットは、皮膚貫通部材による差し迫った穿刺をユーザに警告する聴覚的プロンプトと、前記分析物測定デバイスが利用可能な試料を取得したことをユーザに注意喚起する聴覚的プロンプトとを備える、
システム。
[実施形態２]
複数の解放可能な筐体部分をさらに備える、実施形態１に記載のシステム。
[実施形態３]
前記解放可能な筐体部分の各々が、前記複数の解放可能な筐体部分の他の解放可能な筐体部分と関連する少なくとも１つの聴覚的プロンプトとは異なる、少なくとも１つの聴覚的プロンプトを含む聴覚的プロンプトセットと関連する、実施形態２に記載のシステム。
[実施形態４]
前記制御ユニットは、プロセッサを備える、実施形態１に記載のシステム。
[実施形態５]
前記制御ユニットは、メモリユニットを備える、実施形態１に記載のシステム。
[実施形態６]
前記解放可能な筐体部分に関連する前記聴覚的プロンプトセットは、前記メモリユニットに格納される、実施形態５に記載のシステム。
[実施形態７]
前記解放可能な筐体部分と関連する前記聴覚的プロンプトセットは、前記解放可能な筐体部分に格納される、実施形態１に記載のシステム。
[実施形態８]
前記解放可能な筐体部分と関連する前記聴覚的プロンプトセットは、サーバに格納される、実施形態１に記載のシステム。
[実施形態９]
前記制御ユニットは、発声ユニットを備え、前記有効なプロンプトセットから少なくとも１つの聴覚的プロンプトを出力するように前記スピーカーに命令することは、前記少なくとも１つの聴覚的プロンプトと関連する信号を前記発声ユニットから前記スピーカーに送信することを含む、実施形態１に記載のシステム。
[実施形態１０]
前記分析物測定デバイスは、表示部をさらに備える、実施形態１に記載のシステム。
[実施形態１１]
前記分析物測定デバイスは、マイクをさらに備える、実施形態１に記載のシステム。
[実施形態１２]
前記分析物測定デバイスは、複数の流体試料を採取し、分析するよう構成された、実施形態１に記載のシステム。
[実施形態１３]
複数の分析物定量化部材を包含するカートリッジをさらに備える、実施形態１に記載のシステム。
[実施形態１４]
流体試料中の分析物と反応して測定可能な反応を生じさせるよう構成された分析物定量化部材と、
前記測定可能な反応を検出し、前記分析物の濃度を決定するよう構成された分析物測定デバイスであって、前記分析物測定デバイスは、
筐体、スピーカー、及び制御ユニットを備える分析物測定デバイスと、
を備え、
前記制御ユニットは、前記スピーカーを介して聴覚的プロンプトセットを出力するという命令を備えるメモリを備え、前記聴覚的プロンプトセットは、皮膚貫通部材による差し迫った穿刺をユーザに警告するアラートと、前記分析物測定デバイスが利用可能な試料を取得したというアラートとを備える、システム。
[実施形態１５]
前記制御ユニットは、プロセッサを備える、実施形態１４に記載のシステム。
[実施形態１６]
前記聴覚的プロンプトセットは、前記メモリに格納される、実施形態１４に記載のシステム。
[実施形態１７]
前記聴覚的プロンプトセットは、サーバに格納される、実施形態１４に記載のシステム。
[実施形態１８]
前記制御ユニットは、発声ユニットを更に備え、前記聴覚的プロンプトセットを出力するという命令は、前記聴覚的プロンプトセットと関連する信号を前記発声ユニットから前記スピーカーに送信するという命令を含む、実施形態１４に記載のシステム。
[実施形態１９]
前記分析物測定デバイスは、表示部をさらに備える、実施形態１４に記載のシステム。
[実施形態２０]
前記分析物測定デバイスは、マイクをさらに備える、実施形態１４に記載のシステム。
[実施形態２１]
前記分析物測定デバイスは、複数の流体試料を採取し、分析するよう構成された、実施形態１４に記載のシステム。
[実施形態２２]
複数の分析物定量化部材を包含するカートリッジをさらに備える、実施形態１４に記載のシステム。
[実施形態２３]
前記聴覚的プロンプトセットは、前記分析物測定デバイスの検査ポートに対して試料採取部位を置くという命令をさらに備える、実施形態１４に記載のシステム。
[実施形態２４]
前記聴覚的プロンプトセットは、前記流体試料中の前記分析物の前記濃度が採取されたというアラートをさらに備える、実施形態１４に記載のシステム。
[実施形態２５]
前記聴覚的プロンプトセットは、前記分析物測定デバイスに追加の試料を適用するという命令を備える、実施形態１４に記載のシステム。
[実施形態２６]
前記メモリは、前記ユーザの取った行動に応じて、前記スピーカーを介して前記聴覚的プロンプトセットを出力するという命令をさらに備える、実施形態１４に記載のシステム。
[実施形態２７]
前記ユーザの取った前記行動は、分析物測定操作を開始する、実施形態２６に記載のシステム。
[実施形態２８]
前記メモリは、前記聴覚的プロンプトセットおよび視覚的プロンプトセットを同時に表示部に出力するという命令をさらに備える、実施形態２３に記載のシステム。
[実施形態２９]
前記視覚的プロンプトセットは、採取プロセスの１つ以上のステップのグラフィック表現を備える、実施形態２８に記載のシステム。
[実施形態３０]
前記解放可能な筐体部分は、フロントカバー、バックカバー、および電池カバーの少なくとも１つを備える、実施形態１に記載のシステム。
[実施形態３１]
前記制御ユニットは、前記情報送信装置を検出し、前記検出された情報送信装置と関連する前記聴覚的プロンプトセットを前記有効なプロンプトセットとして自動的に設定するよう構成された、実施形態１に記載のシステム。
[実施形態３２]
前記情報送信装置は、前記制御ユニットと無線で通信するよう構成されたチップを備える、実施形態１に記載のシステム。
[実施形態３３]
前記情報送信装置は、ＵＳＢ装置を備える、実施形態１に記載のシステム。
[実施形態３４]
前記制御ユニットは、前記分析物測定デバイスと前記情報送信装置との間の電気接続を検出することによって前記情報送信装置を検出するよう構成された、実施形態１に記載のシステム。
[実施形態３５]
前記制御ユニットは、前記分析物測定デバイスと前記情報送信装置との間の物理的接触を検出することによって前記情報送信装置を検出するよう構成された、実施形態１に記載のシステム。
【手続補正２】
【補正対象書類名】特許請求の範囲
【補正対象項目名】全文
【補正方法】変更
【補正の内容】
【特許請求の範囲】
【請求項１】
流体試料中の分析物と反応して測定可能な反応を生じさせるよう構成された分析物定量化部材と、
前記測定可能な反応を検出し、前記分析物の濃度を決定するよう構成された分析物測定デバイスであって、前記分析物測定デバイスは、
筐体、スピーカー、及び制御ユニットを備える分析物測定デバイスと、
を備え、
前記制御ユニットは、ユーザが分析物測定動作を開始したことに応じて前記スピーカーを介して聴覚的プロンプトセットを出力するという命令を備えるメモリを備え、
前記聴覚的プロンプトセットは、前記流体試料を採取及び分析するための全試料採取プロセスを通して前記ユーザを聴覚的に誘導し、且つ皮膚貫通部材による差し迫った穿刺を該穿刺が発生するまでの満了時間を示すことによって前記ユーザに警告するアラートと、前記分析物測定デバイスが利用可能な試料を取得したというアラートとを備える、システム。
【請求項２】
前記制御ユニットは、プロセッサを備える、請求項１に記載のシステム。
【請求項３】
前記聴覚的プロンプトセットは、前記メモリに格納される、請求項１に記載のシステム。
【請求項４】
前記聴覚的プロンプトセットは、サーバに格納される、請求項１に記載のシステム。
【請求項５】
前記制御ユニットは、発声ユニットを更に備え、前記聴覚的プロンプトセットを出力するという命令は、前記聴覚的プロンプトセットと関連する信号を前記発声ユニットから前記スピーカーに送信するという命令を含む、請求項１に記載のシステム。
【請求項６】
前記分析物測定デバイスは、表示部をさらに備える、請求項１に記載のシステム。
【請求項７】
前記分析物測定デバイスは、マイクをさらに備える、請求項１に記載のシステム。
【請求項８】
前記分析物測定デバイスは、複数の流体試料を採取し、分析するよう構成された、請求項１に記載のシステム。
【請求項９】
複数の分析物定量化部材を包含するカートリッジをさらに備える、請求項１に記載のシステム。
【請求項１０】
前記聴覚的プロンプトセットは、前記分析物測定デバイスの検査ポートに対して試料採取部位を置くという命令をさらに備える、請求項１に記載のシステム。
【請求項１１】
前記聴覚的プロンプトセットは、前記流体試料中の前記分析物の前記濃度が採取されたというアラートをさらに備える、請求項１に記載のシステム。
【請求項１２】
前記聴覚的プロンプトセットは、前記分析物測定デバイスに追加の試料を適用するという命令を備える、請求項１に記載のシステム。
【請求項１３】
前記分析物測定デバイスは、前記ユーザが前記分析物測定動作を１つの行為で開始するよう構成される、請求項１に記載のシステム。
【請求項１４】
前記メモリは、前記聴覚的プロンプトセットおよび視覚的プロンプトセットを同時に表示部に出力するという命令をさらに備える、請求項１に記載のシステム。
【請求項１５】
前記視覚的プロンプトセットは、採取プロセスの１つ以上のステップのグラフィック表現を備える、請求項１４に記載のシステム。
【外国語明細書】
2020127755000001.pdf